(57)【要約】α−スルホ脂肪酸アルキルエステル塩と、香料組成物とを含有し、前記α−スルホ脂肪酸アルキルエステル塩の含有量が、洗浄剤組成物の総質量に対し、１〜３０質量％であり、前記香料組成物が、下記香料（Ａ）を含有し、前記香料（Ａ）の含有量が、洗浄剤組成物の総質量に対し、０．０７〜０．５質量％であることを特徴とする洗浄剤組成物。香料（Ａ）：ジヒドロミルセノール、酢酸イソボルニル、α−ヘキシルシンナミックアルデヒド、リリアール、テトラヒドロリナロール、サリチル酸アミル、ベルドックス、ベルテネックス、酢酸トリシクロデセニル、プロピオン酸トリシクロデセニル、イソ・イー・スーパー、及びハバノライドからなる群から選ばれる少なくとも１種の香料成分からなる香料。【特許請求の範囲】
【請求項１】
α−スルホ脂肪酸アルキルエステル塩と、香料組成物とを含有し、
前記α−スルホ脂肪酸アルキルエステル塩の含有量が、洗浄剤組成物の総質量に対し、１〜３０質量％であり、
前記香料組成物が、下記香料（Ａ）を含有し、
前記香料（Ａ）の含有量が、洗浄剤組成物の総質量に対し、０．０７〜０．５質量％であることを特徴とする洗浄剤組成物。
香料（Ａ）：ジヒドロミルセノール、酢酸イソボルニル、α−ヘキシルシンナミックアルデヒド、リリアール、テトラヒドロリナロール、サリチル酸アミル、ベルドックス、ベルテネックス、酢酸トリシクロデセニル、プロピオン酸トリシクロデセニル、イソ・イー・スーパー、及びハバノライドからなる群から選ばれる少なくとも１種の香料成分からなる香料。
【請求項２】
α−スルホ脂肪酸アルキルエステル塩と、香料組成物とを含有し、
前記α−スルホ脂肪酸アルキルエステル塩の含有量が、洗浄剤組成物の総質量に対し、１〜３０質量％であり、
前記香料組成物が、下記香料（Ａ）を含有し、
前記香料組成物の含有量が、洗浄剤組成物の総質量に対し、０．２５〜１質量％であり、前記香料組成物中の前記香料（Ａ）の含有量が、前記香料組成物の総質量に対し、２０質量％以上であることを特徴とする洗浄剤組成物。
香料（Ａ）：ジヒドロミルセノール、酢酸イソボルニル、α−ヘキシルシンナミックアルデヒド、リリアール、テトラヒドロリナロール、サリチル酸アミル、ベルドックス、ベルテネックス、酢酸トリシクロデセニル、プロピオン酸トリシクロデセニル、イソ・イー・スーパー、及びハバノライドからなる群から選ばれる少なくとも１種の香料成分からなる香料。
【請求項３】
前記香料組成物が、さらに下記香料（Ｂ）を含有し、
前記香料（Ｂ）に対する前記香料（Ａ）の質量比が、（香料（Ａ）の質量）／（香料（Ｂ）の質量）で表して１以上１０以下である、請求項１又は２に記載の洗浄剤組成物。
香料（Ｂ）：３，７−ジメチル−２，６−ノナジエノニトリル、シクロヘキシルプロピオン酸アリル、トリプラール、１，８−シネオール、ショウノウ、ジフェニルオキサイド、β−ナフトールメチルエーテル、シトロネリルニトリル、ドデカンニトリル、メントン、２−メチル酪酸エチル、２−メチル吉草酸エチル、シトロネラール、パチュリオイル、ｎ−ヘプタナール、ｎ−オクタナール、ｎ−ノナナール、１−デカナール、ウンデカナール、ドデカナール、２−メチルウンデカナール、１０−ウンデセナール、テルピネオール−４、メントール、酢酸スチラリル、酢酸ブチル、酢酸イソアミル、酢酸プレニル、酢酸ヘキシル、酢酸ｃｉｓ−３−ヘキセニル、アリルアミルグリコレート、ｃｉｓ−３−ヘキセノール、２−シクロヘキシルプロピオン酸エチル、フルーテート、ヘキサン酸アリル、ヘプタン酸アリル、ヘキサン酸エチル、ヘプタン酸エチル、イソメントン、イソシクロシトラール、イソ酪酸オクチル、ベンズアルデヒド、アニスアルデヒド、１，４−シネオール、アリルヨノン、フロロパール、リナロールオキサイド、ローズオキサイド、シクロガルバネート、α−ダイナスコン、α−ダマスコン、β−ダマスコン、γ−ダマスコン、δ−ダマスコン、β−ダマセノン、メチルヘプテノン、Ｌ−カルボン、ゲラニアール、ネラール、４−メチル−３−デセン−５−オール、メチルパンプルムース、酢酸３−メチル−１−イソブチルブチル、酪酸エチル、カシュメラン、カラナール、セドロールメチルエーテル、２，２，６−トリメチルシクロヘキシル−３−ヘキサノール、メチルナフチルケトン、アントラニル酸メチル、スピロガルバノンピュア、及びジャバノールからなる群から選ばれる少なくとも１種の香料成分からなる香料。
【請求項４】
前記香料（Ａ）が、少なくとも３種の香料成分からなる、請求項１〜３のいずれか一項に記載の洗浄剤組成物。
【請求項５】
下記の測定方法で測定されるアルキルメチルケトン量が５．３ｎｇ以下である、請求項１〜４のいずれか一項に記載の洗浄剤組成物。
（アルキルメチルケトン量の測定方法）
洗浄剤組成物３ｇを精秤して、容量２０ｍＬの密閉可能な容器に入れて密閉し、４０℃の恒温槽内で３０分間静置した後、前記容器内のヘッドスペース部分に固相マイクロ抽出ファイバーを４０℃で１時間露出させ、前記ヘッドスペース部分から炭素数４〜８のアルキル基を有するアルキルメチルケトンを抽出する。前記抽出後の固相マイクロ抽出ファイバーをガスクロマトグラフィー質量分析装置にて分析し、前記ヘッドスペース部分から抽出された前記アルキルメチルケトンの合計の抽出量（ｎｇ）を求め、その値をアルキルメチルケトン量とする。
【発明の詳細な説明】
【技術分野】
【０００１】
本発明は、洗浄剤組成物に関する。
本願は、２０１３年６月１２日に、日本に出願された特願２０１３−１２３９４３号に基づき優先権を主張し、その内容をここに援用する。
【背景技術】
【０００２】
脂肪酸アルキルエステルのスルホン化物の中和塩は、一般にα−スルホ脂肪酸アルキルエステル塩（α−スルホ脂肪酸エステル塩）とも呼ばれ、耐硬水性、生分解性が良好であるうえ、洗浄力に優れ、皮膚にマイルドな界面活性剤である。また、α−スルホ脂肪酸アルキルエステル塩は、再生可能な天然原料系であることから、地球環境保護の面からも有用である。α−スルホ脂肪酸アルキルエステル塩は、フレーク、粉などの形態で市販されており、各種市販品を入手可能である。
これらのことから、α−スルホ脂肪酸アルキルエステル塩を、衣類等の繊維製品用の洗浄剤に配合することが行われている。【０００３】
しかし、α−スルホ脂肪酸アルキルエステル塩は、独特の原料臭気を有しており、洗浄剤に配合したときに、不快臭の原因となり、製品の香気を悪化させることがある。例えば粒状洗浄剤が密閉容器に収容された粒状洗浄剤製品の場合、前記粒状洗浄剤を使用するために容器を開けたときに、容器内のヘッドスペースにたまった臭気が使用者に不快感を与えることがある。
また、洗浄剤製品を特徴付け、商品価値を高めるために、洗浄剤に対して香料を配合して香気を付与することが行われている。しかし、洗浄剤がα−スルホ脂肪酸アルキルエステル塩を含む場合、その臭気によって、配合した香料の香り立ちが阻害され、商品価値が損なわれることがある。
α−スルホ脂肪酸アルキルエステル塩由来の臭気の原因物質（臭気成分）としてはラクトン類（ラクトン含有化合物）が知られている。前記臭気成分は、α−スルホ脂肪酸アルキルエステル塩自体或いは天然原料由来の不純物が製造過程等で分解し生成すると推定される（特許文献１の段落［００３２］）。
【先行技術文献】
【特許文献】
【０００４】
【特許文献１】特開２００５−１８７５７９号公報
【発明の概要】
【発明が解決しようとする課題】
【０００５】
本発明は、上記事情に鑑みてなされたものであって、α−スルホ脂肪酸アルキルエステル塩由来の臭気の影響が抑制され、香気の良好な洗浄剤組成物を提供することを目的とする。
【課題を解決するための手段】
【０００６】
本発明者らは、鋭意検討の結果、以下の知見を得た。
α−スルホ脂肪酸アルキルエステル塩を含有する洗浄剤組成物に、特定の１２種の化合物群から選ばれる香料成分（香料（Ａ））を特定量含有させると、α−スルホ脂肪酸アルキルエステル塩に由来する臭気成分による不快臭を減少させる効果、及び洗浄剤組成物の特徴付け等のために配合される他の香料成分（香料（Ｂ））の香り立ちを前記臭気成分が阻害することを抑制する効果、が得られる。そのため、香料（Ｂ）本来の香り立ちが奏され、洗浄剤組成物が良好な香気を有するものとなる。
上記効果についてさらに検討を重ねたところ、α−スルホ脂肪酸アルキルエステル塩を含有する洗浄剤組成物を密閉容器に収容したときのヘッドスペース部分に含まれる、特にアルキル鎖長が４〜８のアルキルメチルケトンの量が、上記効果の指標として有効であることを見出した。すなわち、前記アルキルメチルケトンの量が少ないほど、α−スルホ脂肪酸アルキルエステル塩に由来する臭気成分による不快臭が少なく、香料（Ｂ）の香り立ちが阻害されにくく、製品香気が向上する。
本発明は、上記知見に基づくものであり、以下の態様を有する。【０００７】
本発明の第一の態様は、α−スルホ脂肪酸アルキルエステル塩と、香料組成物とを含有し、
前記α−スルホ脂肪酸アルキルエステル塩の含有量が、洗浄剤組成物の総質量に対し、１〜３０質量％であり、
前記香料組成物が、下記香料（Ａ）を含有し、
前記香料（Ａ）の含有量が、洗浄剤組成物の総質量に対し、０．０７〜０．５質量％であることを特徴とする洗浄剤組成物である。
香料（Ａ）：ジヒドロミルセノール、酢酸イソボルニル、α−ヘキシルシンナミックアルデヒド、リリアール、テトラヒドロリナロール、サリチル酸アミル、ベルドックス、ベルテネックス、酢酸トリシクロデセニル、プロピオン酸トリシクロデセニル、イソ・イー・スーパー、及びハバノライドからなる群から選ばれる少なくとも１種の香料成分からなる香料。【０００８】
本発明の第二の態様は、α−スルホ脂肪酸アルキルエステル塩と、香料組成物とを含有し、
前記α−スルホ脂肪酸アルキルエステル塩の含有量が、洗浄剤組成物の総質量に対し、１〜３０質量％であり、
前記香料組成物が、下記香料（Ａ）を含有し、
前記香料組成物の含有量が、洗浄剤組成物の総質量に対し、０．２５〜１質量％であり、前記香料組成物中の前記香料（Ａ）の含有量が、前記香料組成物の総質量に対し、２０質量％以上であることを特徴とする洗浄剤組成物である。
香料（Ａ）：ジヒドロミルセノール、酢酸イソボルニル、α−ヘキシルシンナミックアルデヒド、リリアール、テトラヒドロリナロール、サリチル酸アミル、ベルドックス、ベルテネックス、酢酸トリシクロデセニル、プロピオン酸トリシクロデセニル、イソ・イー・スーパー、及びハバノライドからなる群から選ばれる少なくとも１種の香料成分からなる香料。【０００９】
前記第一の態様又は第二の態様の洗浄剤組成物においては、前記香料組成物が、さらに下記香料（Ｂ）を含有し、前記香料（Ｂ）に対する前記香料（Ａ）の質量比が、（香料（Ａ）の質量）／（香料（Ｂ）の質量）で表して１以上１０以下であることが好ましい。
香料（Ｂ）：３，７−ジメチル−２，６−ノナジエノニトリル、シクロヘキシルプロピオン酸アリル、トリプラール、１，８−シネオール、ショウノウ、ジフェニルオキサイド、β−ナフトールメチルエーテル、シトロネリルニトリル、ドデカンニトリル、メントン、２−メチル酪酸エチル、２−メチル吉草酸エチル、シトロネラール、パチュリオイル、ｎ−ヘプタナール、ｎ−オクタナール、ｎ−ノナナール、１−デカナール、ウンデカナール、ドデカナール、２−メチルウンデカナール、１０−ウンデセナール、テルピネオール−４、メントール、酢酸スチラリル、酢酸ブチル、酢酸イソアミル、酢酸プレニル、酢酸ヘキシル、酢酸ｃｉｓ−３−ヘキセニル、アリルアミルグリコレート、ｃｉｓ−３−ヘキセノール、２−シクロヘキシルプロピオン酸エチル、フルーテート、ヘキサン酸アリル、ヘプタン酸アリル、ヘキサン酸エチル、ヘプタン酸エチル、イソメントン、イソシクロシトラール、イソ酪酸オクチル、ベンズアルデヒド、アニスアルデヒド、１，４−シネオール、アリルヨノン、フロロパール、リナロールオキサイド、ローズオキサイド、シクロガルバネート、α−ダイナスコン、α−ダマスコン、β−ダマスコン、γ−ダマスコン、δ−ダマスコン、β−ダマセノン、メチルヘプテノン、Ｌ−カルボン、ゲラニアール、ネラール、４−メチル−３−デセン−５−オール、メチルパンプルムース、酢酸３−メチル−１−イソブチルブチル、酪酸エチル、カシュメラン、カラナール、セドロールメチルエーテル、２，２，６−トリメチルシクロヘキシル−３−ヘキサノール、メチルナフチルケトン、アントラニル酸メチル、スピロガルバノンピュア、及びジャバノールからなる群から選ばれる少なくとも１種の香料成分からなる香料。
前記第一の態様又は第二の態様の洗浄剤組成物においては、前記香料（Ａ）が、少なくとも３種の香料成分からなることが好ましい。
前記第一の態様又は第二の態様の洗浄剤組成物においては、下記の測定方法で測定されるアルキルメチルケトン量が５．３ｎｇ以下であることが好ましい。
（アルキルメチルケトン量の測定方法）
洗浄剤組成物３ｇを精秤して、容量２０ｍＬの密閉可能な容器に入れて密閉し、４０℃の恒温槽内で３０分間静置した後、前記容器内のヘッドスペース部分に固相マイクロ抽出ファイバーを４０℃で１時間露出させ、前記ヘッドスペース部分から炭素数４〜８のアルキル基を有するアルキルメチルケトンを抽出する。前記抽出後の固相マイクロ抽出ファイバーをガスクロマトグラフィー質量分析装置にて分析し、前記ヘッドスペース部分から抽出された前記アルキルメチルケトンの合計の抽出量（ｎｇ）を求め、その値をアルキルメチルケトン量とする。
【発明の効果】
【００１０】
本発明によれば、α−スルホ脂肪酸アルキルエステル塩由来の臭気の影響が抑制され、香気の良好な洗浄剤組成物を提供できる。
【発明を実施するための形態】
【００１１】
≪第一の態様の洗浄剤組成物≫
本発明の第一の態様の洗浄剤組成物（以下、洗浄剤組成物（１）ともいう。）は、α−スルホ脂肪酸アルキルエステル塩と、香料組成物とを含有する。
【００１２】
＜α−スルホ脂肪酸アルキルエステル塩＞
α−スルホ脂肪酸アルキルエステル塩は、アニオン界面活性剤の一種であり、洗浄成分として機能する。
α−スルホ脂肪酸アルキルエステル塩としては、例えば下記一般式（Ｉ）で表される化合物が挙げられる。
Ｒ１−ＣＨ（ＳＯ３Ｍ）−ＣＯ−Ｏ−Ｒ２      …（Ｉ）
［式中、Ｒ１は炭素数６〜２０のアルキル基又はアルケニル基であり、Ｒ２は炭素数１〜６のアルキル基であり、Ｍは対イオンである。］
【００１３】
Ｒ１のアルキル基又はアルケニル基は、直鎖状でも分岐鎖状でもよい。その炭素数は、洗浄力の観点から、６〜２０であり、１０〜１６が好ましく、１４〜１６がより好ましい。
Ｒ２のアルキル基は、直鎖状でも分岐鎖状でもよい。その炭素数は、洗浄力の観点から、１〜６であり、１〜３が好ましく、１が特に好ましい。すなわち、α−スルホ脂肪酸アルキルエステル塩としては、α−スルホ脂肪酸メチルエステル（ＭＥＳ）塩が特に好ましい。
対イオンであるＭとしては、Ｒ１ＣＨ（ＣＯＯＲ２）ＳＯ３−とともに水溶性の塩を形成し得るものであればよい。このような塩としては、例えばアルカリ金属塩、アルカリ土類金属塩、アミン塩、アンモニウム塩等が挙げられる。
アルカリ金属としては、ナトリウム、カリウム等が挙げられる。
アルカリ土類金属としては、カルシウム、マグネシウム等が挙げられる。
アミンは、１〜３級のいずれであってもよい。アミンとしては、たとえばアルカノールアミンが挙げられ、前記アルカノール基の炭素数は１〜３が好ましい。アルカノールアミンの具体例としてはモノエタノールアミン、ジエタノールアミン、トリエタノールアミン等が挙げられる。
塩としては、アルカリ金属塩が好ましく、ナトリウム塩がより好ましい。
【００１４】
洗浄剤組成物（１）中に含まれるα−スルホ脂肪酸アルキルエステル塩は１種でも２種以上でもよい。
洗浄剤組成物（１）中のα−スルホ脂肪酸アルキルエステル塩の含有量は、前記洗浄剤組成物（１）の総質量に対し、１〜３０質量％であり、４〜３０質量％が好ましく、８〜３０質量％がより好ましく、８〜２０質量％がさらに好ましい。
α−スルホ脂肪酸アルキルエステル塩の含有量が１質量％以上であると、α−スルホ脂肪酸アルキルエステル塩による洗浄性能の増加効果が向上し、３０質量％以下であると、α−スルホ脂肪酸アルキルエステル塩由来の臭気の製品香気への影響を抑制する効果（たとえば、α−スルホ脂肪酸アルキルエステル塩由来の臭気による不快臭の抑制効果、香料（Ｂ）をさらに含有する場合の前記臭気による香料（Ｂ）の香り立ち阻害の抑制効果等）がより有効である。
【００１５】
α−スルホ脂肪酸アルキルエステル塩は、市販のものを用いてもよく、公知の製造方法により製造したものを用いてもよい。
市販のα−スルホ脂肪酸アルキルエステル塩としては、例えばライオンエコケミカルズ製の商品名：ＭＩＺＵＬＡＮが挙げられる。
α−スルホ脂肪酸アルキルエステル塩の製造方法としては、例えば、国際公開第２００４−１１１１６６号パンフレット、国際公開２００９−０５４４０６号パンフレット等に記載の方法が挙げられる。
例えば、脂肪酸アルキルエステルをスルホン化することによりα−スルホ脂肪酸アルキルエステルを得ることができ、前記α−スルホ脂肪酸アルキルエステルのスルホ基をアルカリで中和することによりα−スルホ脂肪酸アルキルエステル塩が得られる。中和に用いられるアルカリは、前記対イオンであるＭに対応する。
前記製造方法においては、必要に応じて、スルホン化後、中和の前に、メタノール等のアルコールを用い、エステル化を行ってもよい。エステル化工程を行うことにより、反応生成物中にＳＯ３二分子付加体が残存する場合に、前記ＳＯ３二分子付加体のアルコキシ部分のエステル化が進行し、ＳＯ３の脱離がさらに促進される。その結果、副生物の生成が抑制され、反応生成物中のα−スルホ脂肪酸アルキルエステルの純度が向上する。
上記製造方法においては、さらに、必要に応じて、上述した中和工程の前又は後に、α−スルホ脂肪酸アルキルエステル塩の色調を白色に近い色にするために、例えば過酸化水素などの漂白剤を用い漂白処理を行ってもよい。
上記中和工程後又は漂白工程後の生成物（たとえば、α−スルホ脂肪酸アルキルエステル塩）は、通常、固形分５０〜８０質量％程度のペースト状である。必要に応じ、前記生成物に対して濃縮、粉体化等の処理を行ってもよい。
なお、前述のようにして得られるペースト状のα−スルホ脂肪酸アルキルエステル塩中には、通常、α−スルホ脂肪酸アルキルエステル塩そのもののほかに、α−スルホ脂肪酸ジアルカリ塩（たとえば上記一般式（ｓ１）においてＲ２が対イオンであるＭで置換されたもの。以下、ジ塩ということがある。）が含まれることがある。また、その他に、微量の副生物（メチルサルフェート、エチルサルフェート、プロピルサルフェート、低級・中級カルボン酸又はそれらのエステル、ケトン、アルデヒド等の有機物質や、硫酸ナトリウム等の無機物質）が含まれることがある。ペースト状のα−スルホ脂肪酸アルキルエステル塩中には、ペースト状のα−スルホ脂肪酸アルキルエステル塩の総質量に対し、α−スルホ脂肪酸アルキルエステル塩（純分として）が４０〜８０質量％、ゼオライトが０〜３質量％、α−スルホ脂肪酸ジアルカリ塩が１〜１０質量％、メチルサルフェートが１〜１０質量％、硫酸ナトリウムが１〜１０質量％、水分が１０〜４０質量％、及びその他の微量の副生成物が含まれていてもよい。
【００１６】
洗浄剤組成物の製造に際して粉体状のα−スルホ脂肪酸アルキルエステル塩を用いる場合、前述の製造方法により得られるペースト状のα−スルホ脂肪酸アルキルエステル塩、又は中間生成物であるα−スルホ脂肪酸アルキルエステルに対し、粉体化処理が施される。
粉体状のα−スルホ脂肪酸アルキルエステル塩の製造方法としては、特に制限はないが、例えば以下の方法が挙げられる。
１．前述のようにして得られたペースト状のα−スルホ脂肪酸アルキルエステル塩をそのまま水等の溶媒に溶解してスラリー状にした後、噴霧乾燥等の乾燥工程を経て粉体状にする方法。
２．前述のようにして得られたペースト状のα−スルホ脂肪酸アルキルエステル塩のメタノール分などの溶媒分をフラッシュ蒸留などで除去するか、あるいは水分を蒸発させて濃縮状態にした後、造粒する方法。
３．前述のようにして得られたペースト状のα−スルホ脂肪酸アルキルエステル塩の水分を蒸発させて濃縮状態にした後、ドラムフレーカーやベルトクーラー等を使用して冷却して得た固形物を、粉砕又は造粒する方法。
４．前述のようにして得られたα−スルホ脂肪酸アルキルエステルをアルカリ成分と共に造粒しながら中和する方法。
造粒は、押出し造粒法、撹拌造粒法、転動造粒法等の公知の造粒法により実施できる。
【００１７】
＜香料組成物＞
香料組成物は、下記香料（Ａ）を含有する。
香料（Ａ）：ジヒドロミルセノール、酢酸イソボルニル、α−ヘキシルシンナミックアルデヒド、リリアール、テトラヒドロリナロール、サリチル酸アミル、ベルドックス、ベルテネックス、酢酸トリシクロデセニル、プロピオン酸トリシクロデセニル、イソ・イー・スーパー、及びハバノライドからなる群から選ばれる少なくとも１種の香料成分からなる香料。
香料（Ａ）を構成する香料成分は、前記１２種のうちのいずれか１種でもよく２種以上でもよい。本発明の効果に優れることから、香料（Ａ）は、前記１２種のうちの少なくとも３種の香料成分からなることが好ましい。
香料（Ａ）は、ジヒドロミルセノール、酢酸イソボルニル、酢酸トリシクロデセニル及びプロピオン酸トリシクロデセニルからなる群から選択される少なくとも１種の香料成分を含むことが好ましい。
香料（Ａ）は、α−ヘキシルシンナミックアルデヒド、サリチル酸アミル、イソ・イー・スーパー及びハバノライドからなる群から選択される少なくとも１種の香料成分を含むことが好ましい。
香料（Ａ）は、リリアール、テトラヒドロリナロール、ベルドックス及びベルテネックスからなる群から選択される少なくとも１種の香料成分を含むことが好ましい。
香料（Ａ）は、ジヒドロミルセノール、酢酸イソボルニル、酢酸トリシクロデセニル及びプロピオン酸トリシクロデセニルからなる群から選択される少なくとも１種の香料成分、並びにα−ヘキシルシンナミックアルデヒド、サリチル酸アミル、イソ・イー・スーパー及びハバノライドからなる群から選択される少なくとも１種の香料成分の組み合わせを含むことが好ましい。この場合、ジヒドロミルセノール、酢酸イソボルニル、酢酸トリシクロデセニル及びプロピオン酸トリシクロデセニルからなる群から選択される少なくとも１種の香料成分、並びにα−ヘキシルシンナミックアルデヒド、サリチル酸アミル、イソ・イー・スーパー及びハバノライドからなる群から選択される少なくとも１種の香料成分の質量比が１：１であることが好ましい。
香料（Ａ）は、ジヒドロミルセノール、酢酸イソボルニル、酢酸トリシクロデセニル及びプロピオン酸トリシクロデセニルからなる群から選択される少なくとも１種の香料成分、並びにリリアール、テトラヒドロリナロール、ベルドックス及びベルテネックスからなる群から選択される少なくとも１種の香料成分の組み合わせを含むことが好ましい。この場合、ジヒドロミルセノール、酢酸イソボルニル、酢酸トリシクロデセニル及びプロピオン酸トリシクロデセニルからなる群から選択される少なくとも１種の香料成分、並びにリリアール、テトラヒドロリナロール、ベルドックス及びベルテネックスからなる群から選択される少なくとも１種の香料成分の質量比が１：１であることが好ましい。
香料（Ａ）は、α−ヘキシルシンナミックアルデヒド、サリチル酸アミル、イソ・イー・スーパー及びハバノライドからなる群から選択される少なくとも１種の香料成分、並びにリリアール、テトラヒドロリナロール、ベルドックス及びベルテネックスからなる群から選択される少なくとも１種の香料成分を含むことが好ましい。この場合、α−ヘキシルシンナミックアルデヒド、サリチル酸アミル、イソ・イー・スーパー及びハバノライドからなる群から選択される少なくとも１種の香料成分、並びにリリアール、テトラヒドロリナロール、ベルドックス及びベルテネックスからなる群から選択される少なくとも１種の香料成分の質量比が１：１であることが好ましい。
香料（Ａ）は、ジヒドロミルセノール、酢酸イソボルニル、酢酸トリシクロデセニル及びプロピオン酸トリシクロデセニルからなる群から選択される少なくとも１種の香料成分；α−ヘキシルシンナミックアルデヒド、サリチル酸アミル、イソ・イー・スーパー及びハバノライドからなる群から選択される少なくとも１種の香料成分；並びにリリアール、テトラヒドロリナロール、ベルドックス及びベルテネックスからなる群から選択される少なくとも１種の香料成分の組み合わせが好ましい。この場合、ジヒドロミルセノール、酢酸イソボルニル、酢酸トリシクロデセニル及びプロピオン酸トリシクロデセニルからなる群から選択される少なくとも１種の香料成分；α−ヘキシルシンナミックアルデヒド、サリチル酸アミル、イソ・イー・スーパー及びハバノライドからなる群から選択される少なくとも１種の香料成分；並びにリリアール、テトラヒドロリナロール、ベルドックス及びベルテネックスからなる群から選択される少なくとも１種の香料成分の質量比が１：１：１であることが好ましい。
香料（Ａ）は、ジヒドロミルセノール、酢酸イソボルニル、α−ヘキシルシンナミックアルデヒド、リリアール、テトラヒドロリナロール、サリチル酸アミル、ベルドックス、ベルテネックス、酢酸トリシクロデセニル、プロピオン酸トリシクロデセニル、イソ・イー・スーパー及びハバノライドの組み合わせ；ジヒドロミルセノール、ベルドックス及びハバノライドの組み合わせ；酢酸イソボルニル、テトラヒドロリナロール及びイソ・イー・スーパーの組み合わせ；サリチル酸アミル、ベルテネックス及びプロピオン酸トリシクロデセニルの組み合わせ；α−ヘキシルシンナミックアルデヒド、リリアール及び酢酸トリシクロデセニルの組み合わせ；α−ヘキシルシンナミックアルデヒド、リリアール及びプロピオン酸トリシクロデセニルの組み合わせ；リリアール、サリチル酸アミル及びプロピオン酸トリシクロデセニルの組み合わせ；リリアール、プロピオン酸トリシクロデセニル及びイソ・イー・スーパーの組み合わせ；リリアール、プロピオン酸トリシクロデセニル及びハバノライドの組み合わせ；α−ヘキシルシンナミックアルデヒド、テトラヒドロリナロール及びプロピオン酸トリシクロデセニルの組み合わせ；テトラヒドロリナロール、サリチル酸アミル及びプロピオン酸トリシクロデセニルの組み合わせ；テトラヒドロリナロール、プロピオン酸トリシクロデセニル及びイソ・イー・スーパーの組み合わせ；テトラヒドロリナロール、プロピオン酸トリシクロデセニル及びハバノライドの組み合わせ；α−ヘキシルシンナミックアルデヒド、ベルドックス及びプロピオン酸トリシクロデセニルの組み合わせ；サリチル酸アミル、ベルドックス及びプロピオン酸トリシクロデセニルの組み合わせ；ベルドックス、プロピオン酸トリシクロデセニル及びイソ・イー・スーパーの組み合わせ；ベルドックス、プロピオン酸トリシクロデセニル及びハバノライドの組み合わせ；α−ヘキシルシンナミックアルデヒド、ベルドックス及びプロピオン酸トリシクロデセニルの組み合わせ；ベルドックス、プロピオン酸トリシクロデセニル及びイソ・イー・スーパーの組み合わせ；ベルドックス、プロピオン酸トリシクロデセニル及びハバノライドとの組み合わせ；α−ヘキシルシンナミックアルデヒド、ベルテネックス及びプロピオン酸トリシクロデセニルの組み合わせ；ベルテネックス、プロピオン酸トリシクロデセニル及びイソ・イー・スーパーの組み合わせ；ベルテネックス、プロピオン酸トリシクロデセニル及びハバノライドの組み合わせ；リリアール、サリチル酸アミル及び酢酸トリシクロデセニルとの組み合わせ；リリアール、酢酸トリシクロデセニル及びイソ・イー・スーパーの組み合わせ；リリアール、酢酸トリシクロデセニル及びハバノライドの組み合わせ；α−ヘキシルシンナミックアルデヒド、テトラヒドロリナロール及び酢酸トリシクロデセニルの組み合わせ；テトラヒドロリナロール、サリチル酸アミル及び酢酸トリシクロデセニルの組み合わせ；テトラヒドロリナロール、酢酸トリシクロデセニル及びイソ・イー・スーパーの組み合わせ；テトラヒドロリナロール、酢酸トリシクロデセニル及びハバノライドの組み合わせ；α−ヘキシルシンナミックアルデヒド、ベルドックス及び酢酸トリシクロデセニルの組み合わせ；サリチル酸アミル、ベルドックス及び酢酸トリシクロデセニルの組み合わせ；ベルドックス、酢酸トリシクロデセニル及びイソ・イー・スーパーの組み合わせ；ベルドックス、酢酸トリシクロデセニル及びハバノライドの組み合わせ；α−ヘキシルシンナミックアルデヒド、ベルテネックス及び酢酸トリシクロデセニルの組み合わせ；サリチル酸アミル、ベルテネックス及び酢酸トリシクロデセニルの組み合わせ；ベルテネックス、酢酸トリシクロデセニル及びイソ・イー・スーパーの組み合わせ；ベルテネックス、酢酸トリシクロデセニル及びハバノライドの組み合わせ；酢酸イソボルニル、α−ヘキシルシンナミックアルデヒド及びリリアールの組み合わせ；酢酸イソボルニル、リリアール及びサリチル酸アミルの組み合わせ；酢酸イソボルニル、リリアール及びイソ・イー・スーパーの組み合わせ；酢酸イソボルニル、リリアール及びハバノライドの組み合わせ；酢酸イソボルニル、α−ヘキシルシンナミックアルデヒド及びテトラヒドロリナロールの組み合わせ；酢酸イソボルニル、テトラヒドロリナロール及びサリチル酸アミルの組み合わせ；酢酸イソボルニル、テトラヒドロリナロール及びハバノライドの組み合わせ；酢酸イソボルニル、α−ヘキシルシンナミックアルデヒド及びベルドックスの組み合わせ；酢酸イソボルニル、サリチル酸アミル及びベルドックスの組み合わせ；酢酸イソボルニル、ベルドックス及びイソ・イー・スーパーの組み合わせ；酢酸イソボルニル、ベルドックス及びハバノライドの組み合わせ；酢酸イソボルニル、α−ヘキシルシンナミックアルデヒド及びベルテネックスの組み合わせ；酢酸イソボルニル、サリチル酸アミル及びベルテネックスの組み合わせ；酢酸イソボルニル、ベルテネックス及びイソ・イー・スーパーの組み合わせ；酢酸イソボルニル、ベルテネックス及びハバノライドの組み合わせ；ジヒドロミルセノール、α−ヘキシルシンナミックアルデヒド及びリリアールの組み合わせ；ジヒドロミルセノール、リリアール及びサリチル酸アミルの組み合わせ；ジヒドロミルセノール、リリアール及びイソ・イー・スーパーの組み合わせ；ジヒドロミルセノール、リリアール及びハバノライドの組み合わせ；ジヒドロミルセノール、α−ヘキシルシンナミックアルデヒド及びテトラヒドロリナロールの組み合わせ；ジヒドロミルセノール、テトラヒドロリナロール及びサリチル酸アミルの組み合わせ；ジヒドロミルセノール、テトラヒドロリナロール及びイソ・イー・スーパーの組み合わせ；ジヒドロミルセノール、テトラヒドロリナロール及びハバノライドの組み合わせ；ジヒドロミルセノール、α−ヘキシルシンナミックアルデヒド及びハバノライドの組み合わせ；ジヒドロミルセノール、α−ヘキシルシンナミックアルデヒド及びベルドックスの組み合わせ；ジヒドロミルセノール、サリチル酸アミル及びベルドックスの組み合わせ；ジヒドロミルセノール、ベルドックス及びイソ・イー・スーパーの組み合わせ；ジヒドロミルセノール、α−ヘキシルシンナミックアルデヒド及びベルテネックスの組み合わせ；ジヒドロミルセノール、サリチル酸アミル及びベルテネックスの組み合わせ；ジヒドロミルセノール、ベルテネックス及びイソ・イー・スーパーの���み合わせ；並びにジヒドロミルセノール、ベルテネックス及びハバノライドの組み合わせ、が好ましい。
【００１８】
洗浄剤組成物（１）中の香料（Ａ）の含有量は、洗浄剤組成物（１）の総質量に対し、０．０７〜０．５質量％であり、０．０９〜０．５質量％が好ましく、０．２１〜０．５質量％がより好ましい。洗浄剤組成物（１）が香料（Ａ）を０．０７質量％以上含有することで、α−スルホ脂肪酸アルキルエステル塩由来の臭気によって製品香気が悪化することが抑制される。また、後述する香料（Ｂ）をさらに含有する場合に、前記臭気によって香料（Ｂ）の香り立ちが阻害されることが抑制される。そのため、製品香気が良好となる。
本態様において、香料組成物中の香料（Ａ）の含有量は、洗浄剤組成物（１）の総質量に対する香料（Ａ）の含有量が０．０７〜０．５質量％の範囲内となる量であれば特に限定されない。
香料組成物中の香料（Ａ）の含有量は、香料組成物の総質量に対し、２０質量％以上であり、３０質量％以上が好ましく、５０質量％以上がより好ましい。より具体的には７０〜９０質量％が好ましく、８０〜９０質量％がより好ましい。
また、洗浄剤組成物（１）中の香料組成物の含有量は、洗浄剤組成物（１）の総質量に対する香料（Ａ）の含有量が０．０７〜０．５質量％の範囲内となる量であれば特に限定されない。具体的には、洗浄剤組成物（１）の総質量に対し、０．２５〜１質量％であり、０．２５〜０．７質量％が好ましく、０．２５〜０．５質量％がより好ましい。
洗浄剤組成物（１）中の香料組成物の含有量が、洗浄剤組成物（１）の総質量に対し、０．２５質量％以上、かつ香料組成物中の香料（Ａ）の含有量が、香料組成物の総質量に対し、２０質量％以上であることにより、α−スルホ脂肪酸アルキルエステル塩由来の臭気によって製品香気が悪化することが抑制される。また、香料（Ｂ）をさらに含有する場合に、前記臭気によって香料（Ｂ）の香り立ちが阻害されることが抑制される。そのため、製品香気が良好となる。
【００１９】
香料組成物は、必要に応じて、香料（Ａ）以外の香料成分、溶剤等をさらに含有してもよい。
香料（Ａ）以外の香料成分としては、特に限定されず、公知の香料のなかから適宜選択して使用できる。使用できる香料原料のリストは、様々な文献、例えば「Perfume and Flavor Chemicals」, Vol.I and II, Steffen Arctander, Allured Pub. Co.（１９９４）；「合成香料化学と商品知識」、印藤元一著、化学工業日報社（１９９６）；「Perfumeand Flavor Materials of NaturalOrigin」, Steffen Arctander, AlluredPub. Co.（１９９４）；「香りの百科」、日本香料協会編、朝倉書店（１９８９）；「Perfumery MaterialPerformance V.3.3」, Boelens Aroma Chemical InformationService（１９９６）；「Flower oils and Floral Compounds In Perfumery」, DanuteLajaujis Anonis, Allured Pub.  Co.（１９９３）等に記載されている。
【００２０】
香料組成物は、香料（Ａ）以外の香料成分として、下記香料（Ｂ）を含有することが好ましい。香料（Ｂ）は、香料（Ａ）よりも香気が強く、製品香気の特徴付けに用いられる。
香料（Ａ）自体はあまり香気が強い香料成分ではないが、本発明においては、香料（Ａ）を一定量以上含有することによって、α−スルホ脂肪酸アルキルエステル塩由来の臭気の影響が抑制される。そのため、香料（Ａ）を含まない場合に比べて、香料（Ｂ）の香り立ちが良好になり、香料（Ｂ）による賦香効果が発揮されやすい。
香料（Ｂ）：３，７−ジメチル−２，６−ノナジエノニトリル、シクロヘキシルプロピオン酸アリル、トリプラール、１，８−シネオール、ショウノウ、ジフェニルオキサイド、β−ナフトールメチルエーテル、シトロネリルニトリル、ドデカンニトリル、メントン、２−メチル酪酸エチル、２−メチル吉草酸エチル、シトロネラール、パチュリオイル、ｎ−ヘプタナール、ｎ−オクタナール、ｎ−ノナナール、１−デカナール、ウンデカナール、ドデカナール、２−メチルウンデカナール、１０−ウンデセナール、テルピネオール−４、メントール、酢酸スチラリル、酢酸ブチル、酢酸イソアミル、酢酸プレニル、酢酸ヘキシル、酢酸ｃｉｓ−３−ヘキセニル、アリルアミルグリコレート、ｃｉｓ−３−ヘキセノール、２−シクロヘキシルプロピオン酸エチル、フルーテート、ヘキサン酸アリル、ヘプタン酸アリル、ヘキサン酸エチル、ヘプタン酸エチル、イソメントン、イソシクロシトラール、イソ酪酸オクチル、ベンズアルデヒド、アニスアルデヒド、１，４−シネオール、アリルヨノン、フロロパール、リナロールオキサイド、ローズオキサイド、シクロガルバネート、α−ダイナスコン、α−ダマスコン、β−ダマスコン、γ−ダマスコン、δ−ダマスコン、β−ダマセノン、メチルヘプテノン、Ｌ−カルボン、ゲラニアール、ネラール、４−メチル−３−デセン−５−オール、メチルパンプルムース、酢酸３−メチル−１−イソブチルブチル、酪酸エチル、カシュメラン、カラナール、セドロールメチルエーテル、２，２，６−トリメチルシクロヘキシル−３−ヘキサノール、メチルナフチルケトン、アントラニル酸メチル、スピロガルバノンピュア（SPIROGALBANONE PURE）、及びジャバノール（JAVANOL）からなる群から選ばれる少なくとも１種の香料成分からなる香料。
香料（Ｂ）を構成する香料成分は、１種でもよく２種以上でもよい。
上記の中でも、より香り立ちが良好であることから、香料（Ｂ）を構成する香料成分は、３，７−ジメチル−２，６−ノナジエノニトリル、シクロヘキシルプロピオン酸アリル、トリプラール、１，８−シネオール、ショウノウ、ジフェニルオキサイド、β−ナフトールメチルエーテル、シトロネリルニトリル、ドデカンニトリル、メントン、２−メチル酪酸エチル、２−メチル吉草酸エチル、シトロネラール、及びパチュリオイルからなる群から選ばれる少なくとも１種の香料成分であることが好ましい。なかでもシクロヘキシルプロピオン酸アリル、１，８−シネオール、ショウノウ、ジフェニルオキサイド、β−ナフトールメチルエーテル、シトロネリルニトリル、メントン、シトロネラール、トリプラール、ドデカンニトリル、３，７−ジメチル−２，６−ノナジエニトリル、２−メチル酪酸エチル、２−メチル吉草酸エチル、及びパチュリオイルからなる群から選ばれる少なくとも１種の香料成分であることがより好ましい。特に、香料（Ｂ）が、シクロヘキシルプロピオン酸アリル、１，８−シネオール、ショウノウ、ジフェニルオキサイド、β−ナフトールメチルエーテル、シトロネリルニトリル、メントン、シトロネラール、トリプラール、ドデカンニトリル、３，７−ジメチル−２，６−ノナジエニトリル、２−メチル酪酸エチル、２−メチル吉草酸エチル、及びパチュリオイルを含むことがさらに好ましい。
香料（Ａ）と香料（Ｂ）の組み合わせとしては、ジヒドロミルセノール、酢酸イソボルニル、酢酸トリシクロデセニル及びプロピオン酸トリシクロデセニルからなる群から選択される少なくとも１種の香料成分を含む香料（Ａ）と、シクロヘキシルプロピオン酸アリル、１，８−シネオール、ショウノウ、ジフェニルオキサイド、β−ナフトールメチルエーテル、シトロネリルニトリル、メントン、シトロネラール、トリプラール、ドデカンニトリル、３，７−ジメチル−２，６−ノナジエニトリル、２−メチル酪酸エチル、２−メチル吉草酸エチル、及びパチュリオイルからなる群から選ばれる少なくとも１種の香料成分を含む香料（Ｂ）との組み合わせが好ましい。また、α−ヘキシルシンナミックアルデヒド、サリチル酸アミル、イソ・イー・スーパー及びハバノライドからなる群から選択される少なくとも１種の香料成分を含む香料（Ａ）と、シクロヘキシルプロピオン酸アリル、１，８−シネオール、ショウノウ、ジフェニルオキサイド、β−ナフトールメチルエーテル、シトロネリルニトリル、メントン、シトロネラール、トリプラール、ドデカンニトリル、３，７−ジメチル−２，６−ノナジエニトリル、２−メチル酪酸エチル、２−メチル吉草酸エチル、及びパチュリオイルからなる群から選ばれる少なくとも１種の香料成分を含む香料（Ｂ）との組み合わせが好ましい。
また、リリアール、テトラヒドロリナロール、ベルドックス及びベルテネックスからなる群から選択される少なくとも１種の香料成分を含む香料（Ａ）と、シクロヘキシルプロピオン酸アリル、１，８−シネオール、ショウノウ、ジフェニルオキサイド、β−ナフトールメチルエーテル、シトロネリルニトリル、メントン、シトロネラール、トリプラール、ドデカンニトリル、３，７−ジメチル−２，６−ノナジエニトリル、２−メチル酪酸エチル、２−メチル吉草酸エチル、及びパチュリオイルからなる群から選ばれる少なくとも１種の香料成分を含む香料（Ｂ）との組み合わせが好ましい。さらに、ジヒドロミルセノール、酢酸イソボルニル、酢酸トリシクロデセニル及びプロピオン酸トリシクロデセニルからなる群から選択される少なくとも１種の香料成分；α−ヘキシルシンナミックアルデヒド、サリチル酸アミル、イソ・イー・スーパー及びハバノライドからなる群から選択される少なくとも１種の香料成分；並びにリリアール、テトラヒドロリナロール、ベルドックス及びベルテネックスからなる群から選択される少なくとも１種の香料成分からなる香料（Ａ）と、シクロヘキシルプロピオン酸アリル、１，８−シネオール、ショウノウ、ジフェニルオキサイド、β−ナフトールメチルエーテル、シトロネリルニトリル、メントン、シトロネラール、トリプラール、ドデカンニトリル、３，７−ジメチル−２，６−ノナジエニトリル、２−メチル酪酸エチル、２−メチル吉草酸エチル、及びパチュリオイルからなる群から選ばれる少なくとも１種の香料成分を含む香料（Ｂ）との組み合わせがより好ましい。
また、ジヒドロミルセノール、酢酸イソボルニル、α−ヘキシルシンナミックアルデヒド、リリアール、テトラヒドロリナロール、サリチル酸アミル、ベルドックス、ベルテネックス、酢酸トリシクロデセニル、プロピオン酸トリシクロデセニル、イソ・イー・スーパー及びハバノライドの組み合わせ；ジヒドロミルセノール、ベルドックス及びハバノライドの組み合わせ；酢酸イソボルニル、テトラヒドロリナロール及びイソ・イー・スーパーの組み合わせ；サリチル酸アミル、ベルテネックス及びプロピオン酸トリシクロデセニルの組み合わせ；α−ヘキシルシンナミックアルデヒド、リリアール及び酢酸トリシクロデセニルの組み合わせ；α−ヘキシルシンナミックアルデヒド、リリアール及びプロピオン酸トリシクロデセニルの組み合わせ；リリアール、サリチル酸アミル及びプロピオン酸トリシクロデセニルの組み合わせ；リリアール、プロピオン酸トリシクロデセニル及びイソ・イー・スーパーの組み合わせ；リリアール、プロピオン酸トリシクロデセニル及びハバノライドの組み合わせ；α−ヘキシルシンナミックアルデヒド、テトラヒドロリナロール及びプロピオン酸トリシクロデセニルの組み合わせ；テトラヒドロリナロール、サリチル酸アミル及びプロピオン酸トリシクロデセニルの組み合わせ；テトラヒドロリナロール、プロピオン酸トリシクロデセニル及びイソ・イー・スーパーの組み合わせ；テトラヒドロリナロール、プロピオン酸トリシクロデセニル及びハバノライドの組み合わせ；α−ヘキシルシンナミックアルデヒド、ベルドックス及びプロピオン酸トリシクロデセニルの組み合わせ；サリチル酸アミル、ベルドックス及びプロピオン酸トリシクロデセニルの組み合わせ；ベルドックス、プロピオン酸トリシクロデセニル及びイソ・イー・スーパーの組み合わせ；ベルドックス、プロピオン酸トリシクロデセニル及びハバノライドの組み合わせ；α−ヘキシルシンナミックアルデヒド、ベルドックス及びプロピオン酸トリシクロデセニルの組み合わせ；ベルドックス、プロピオン酸トリシクロデセニル及びイソ・イー・スーパーの組み合わせ；ベルドックス、プロピオン酸トリシクロデセニル及びハバノライドとの組み合わせ；α−ヘキシルシンナミックアルデヒド、ベルテネックス及びプロピオン酸トリシクロデセニルの組み合わせ；ベルテネックス、プロピオン酸トリシクロデセニル及びイソ・イー・スーパーの組み合わせ；ベルテネックス、プロピオン酸トリシクロデセニル及びハバノライドの組み合わせ；リリアール、サリチル酸アミル及び酢酸トリシクロデセニルとの組み合わせ；リリアール、酢酸トリシクロデセニル及びイソ・イー・スーパーの組み合わせ；リリアール、酢酸トリシクロデセニル及びハバノライドの組み合わせ；α−ヘキシルシンナミックアルデヒド、テトラヒドロリナロール及び酢酸トリシクロデセニルの組み合わせ；テトラヒドロリナロール、サリチル酸アミル及び酢酸トリシクロデセニルの組み合わせ；テトラヒドロリナロール、酢酸トリシクロデセニル及びイソ・イー・スーパーの組み合わせ；テトラヒドロリナロール、酢酸トリシクロデセニル及びハバノライドの組み合わせ；α−ヘキシルシンナミックアルデヒド、ベルドックス及び酢酸トリシクロデセニルの組み合わせ；サリチル酸アミル、ベルドックス及び酢酸トリシクロデセニルの組み合わせ；ベルドックス、酢酸トリシクロデセニル及びイソ・イー・スーパーの組み合わせ；ベルドックス、酢酸トリシクロデセニル及びハバノライドの組み合わせ；α−ヘキシルシンナミックアルデヒド、ベルテネックス及び酢酸トリシクロデセニルの組み合わせ；サリチル酸アミル、ベルテネックス及び酢酸トリシクロデセニルの組み合わせ；ベルテネックス、酢酸トリシクロデセニル及びイソ・イー・スーパーの組み合わせ；ベルテネックス、酢酸トリシクロデセニル及びハバノライドの組み合わせ；酢酸イソボルニル、α−ヘキシルシンナミックアルデヒド及びリリアールの組み合わせ；酢酸イソボルニル、リリアール及びサリチル酸アミルの組み合わせ；酢酸イソボルニル、リリアール及びイソ・イー・スーパーの組み合わせ；酢酸イソボルニル、リリアール及びハバノライドの組み合わせ；酢酸イソボルニル、α−ヘキシルシンナミックアルデヒド及びテトラヒドロリナロールの組み合わせ；酢酸イソボルニル、テトラヒドロリナロール及びサリチル酸アミルの組み合わせ；酢酸イソボルニル、テトラヒドロリナロール及びハバノライドの組み合わせ；酢酸イソボルニル、α−ヘキシルシンナミックアルデヒド及びベルドックスの組み合わせ；酢酸イソボルニル、サリチル酸アミル及びベルドックスの組み合わせ；酢酸イソボルニル、ベルドックス及びイソ・イー・スーパーの組み合わせ；酢酸イソボルニル、ベルドックス及びハバノライドの組み合わせ；酢酸イソボルニル、α−ヘキシルシンナミックアルデヒド及びベルテネックスの組み合わせ；酢酸イソボルニル、サリチル酸アミル及びベルテネックスの組み合わせ；酢酸イソボルニル、ベルテネックス及びイソ・イー・スーパーの組み合わせ；酢酸イソボルニル、ベルテネックス及びハバノライドの組み合わせ；ジヒドロミルセノール、α−ヘキシルシンナミックアルデヒド及びリリアールの組み合わせ；ジヒドロミルセノール、リリアール及びサリチル酸アミルの組み合わせ；ジヒドロミルセノール、リリアール及びイソ・イー・スーパーの組み合わせ；ジヒドロミルセノール、リリアール及びハバノライドの組み合わせ；ジヒドロミルセノール、α−ヘキシルシンナミックアルデヒド及びテトラヒドロリナロールの組み合わせ；ジヒドロミルセノール、テトラヒドロリナロール及びサリチル酸アミルの組み合わせ；ジヒドロミルセノール、テトラヒドロリナロール及びイソ・イー・スーパーの組み合わせ；ジヒドロミルセノール、テトラヒドロリナロール及びハバノライドの組み合わせ；ジヒドロミルセノール、α−ヘキシルシンナミックアルデヒド及びハバノライドの組み合わせ；ジヒドロミルセノール、α−ヘキシルシンナミックアルデヒド及びベルドックスの組み合わせ；ジヒドロミルセノール、サリチル酸アミル及びベルドックスの組み合わせ；ジヒドロミルセノール、ベルドックス及びイソ・イー・スーパーの組み合わせ；ジヒドロミルセノール、α−ヘキシルシンナミックアルデヒド及びベルテネックスの組み合わせ；ジヒドロミルセノール、サリチル酸アミル及びベルテネックスの組み合わせ；ジヒドロミルセノール、ベルテネックス及びイソ・イー・スーパーの組み合わ���；並びにジヒドロミルセノール、ベルテネックス及びハバノライドの組み合わせからなる群から選択される少なくとも１種の組み合わせからなる香料（Ａ）と、
シクロヘキシルプロピオン酸アリル、１，８−シネオール、ショウノウ、ジフェニルオキサイド、β−ナフトールメチルエーテル、シトロネリルニトリル、メントン、シトロネラール、トリプラール、ドデカンニトリル、３，７−ジメチル−２，６−ノナジエニトリル、２−メチル酪酸エチル、２−メチル吉草酸エチル及びパチュリオイルからなる香料（Ｂ）と、の組み合わせがさらに好ましい。
【００２１】
香料組成物が香料（Ｂ）を含有する場合、香料組成物中の香料（Ｂ）の含有量は、香料（Ｂ）に対する香料（Ａ）の質量比が、（香料（Ａ）の質量）／（香料（Ｂ）の質量）（以下、Ａ／Ｂともいう）で表して１以上１０以下となる量である。すなわち香料（Ｂ）の含有量は、香料（Ａ）の含有量１００質量部に対し、１０質量部以上１００質量部以下である。Ａ／Ｂは、１以上９以下が好ましく、１以上７以下がより好ましい。
なお、香料組成物中のＡ／Ｂの値は、洗浄剤組成物（１）中のＡ／Ｂの値と同じである。
【００２２】
なお、洗浄剤組成物中の香料成分の種類と含有量は、製造時に使用した原料の種類と配合量から求めることができる。あるいは製造後の洗浄剤組成物を分析することによっても確認できる。
洗浄剤組成物の分析（香料（Ａ）、（Ｂ）それぞれの種類、含有量等の分析）は、常法により行うことができる。例えば粒状洗浄剤組成物の場合、以下の手順で、液抽出による香料（Ａ）、（Ｂ）などの香料成分の分析を行うことが出来る。下記の方法においては、内部標準を用い定量する。内部標準として香料成分（のピーク）の保持時間と重ならない任意の物質、例えば、ｎ−テトラデカンなどの炭化水素を使用することができる。
【００２３】
［粒状洗浄剤組成物中の香料成分の分析方法］
１．粒状洗浄剤組成物１ｇを２０ｍＬ容量のバイアル瓶に精秤し、内部標準溶液として濃度１００ｐｐｍのｎ−テトラデカンのジエチルエーテル／アセトン＝９／１（体積比）混合溶液（１ｍＬ）を加える。
２．つづいて前記バイアルに、水（５ｍＬ）と、ジエチルエーテル／アセトン＝９／１（体積比）混合溶液（５ｍＬ）とを加え、ボルテックスミキサーで振とうした後、上澄みをメスフラスコ（容量２０ｍＬ）に移す。
３．前記２の操作を更に２回繰り返した後、メスフラスコに移した上澄みを、ジエチルエーテル／アセトン＝９／１（体積比）混合溶液で定容し（ただし、内標法なので定容は必須ではない）、硫酸ナトリウムを適量加えて振り混ぜ、１０分間静置した後、上澄みを孔径０．４５μｍのフィルターでろ過して試料溶液とする。
４．得られた試料溶液を、アジレント・テクノロジー社製のＧＣ−ＭＳ（Ａｇｉｌｅｎｔ７８９０／５９７５Ｃ）を用いて、カラム：ＨＰ−ＩＮＮＯＷＡＸ（長さ：３０ｍ、内径：０．２５ｍｍ、膜厚：０．２５μｍ）、測定温度：３５℃で３分間保持した後、２０５℃まで４℃／分で昇温し、さらに２５０℃まで１０℃／分で昇温、キャリアガス：ヘリウム、注入口温度：２５０℃、インターフェイス温度：２５０℃、注入方法：スプリットレスの条件にて分析する。
５．前記４．の結果から、マスクロマトグラム面積値を用いて、内標法で、試料溶液中の香料成分（例えば香料（Ａ）を構成する香料成分）を定量する。その値と精秤した粒状洗浄剤組成物の重量値から、例えば粒状洗浄剤組成物の単位重量当たりの香料（Ａ）を構成する香料成分の総和の重量百分率として香料（Ａ）の含有率（％）を算出することができる。香料（Ｂ）の含有率（％）も同様にして算出することができる。
【００２４】
香料組成物の溶剤としては、特に限定されず、香料成分の溶媒として公知の溶剤を用いることができる。具体例としては、例えば後述する任意成分の例で挙げる溶剤と同様のものが挙げられる。なかでもエタノール、イソプロパノール、グリセリン、エチレングリコール、プロピレングリコール、ジエチレングリコール、ジプロピレングリコールが好ましい。香料組成物中の溶剤の含有量は、香料組成物の総質量に対し、４０〜８０質量％であることが好ましく、５０〜７０質量％であることがより好ましい。
洗浄剤組成物（１）中の香料組成物の含有量は、香料（Ａ）の含有量が前記の範囲内となる量であれば特に限定されない。
【００２５】
＜任意成分＞
洗浄剤組成物（１）は、必要に応じて、α−スルホ脂肪酸アルキルエステル塩、香料組成物以外の他の成分をさらに含有してもよい。前記他の成分としては、例えば、α−スルホ脂肪酸アルキルエステル塩以外の界面活性剤、洗浄性ビルダー、色素、蛍光増白剤、漂白剤、漂白活性化剤、漂白活性化触媒、酵素、酵素安定剤、ポリマー類、ケーキング防止剤、消泡剤、還元剤、粘土鉱物、繊維処理用シリコーン化合物、紫外線吸収剤、ｐＨ調整剤、酸化防止剤、防腐剤、工程剤等が挙げられる。また、必要に応じて、水、溶剤等の液体媒体を含有してもよい。
【００２６】
［界面活性剤］
α−スルホ脂肪酸アルキルエステル塩以外の界面活性剤としては、α−スルホ脂肪酸アルキルエステル塩以外のアニオン界面活性剤、ノニオン界面活性剤、カチオン界面活性剤、両性界面活性剤等が挙げられる。
【００２７】
（アニオン界面活性剤）
α−スルホ脂肪酸アルキルエステル塩以外のアニオン界面活性剤として、例えば、以下のものを挙げることができる。
（１）炭素数８〜１８のアルキル基を有する直鎖又は分岐鎖のアルキルベンゼンスルホン酸塩（以下、「ＬＡＳ」又は「ＡＢＳ」ともいう）。
（２）炭素数１０〜２０のアルカンスルホン酸塩。
（３）炭素数１０〜２０のα−オレフィンスルホン酸塩（以下、「ＡＯＳ」ともいう）。
（４）炭素数１０〜２０のアルキル硫酸塩又はアルケニル硫酸塩（以下、「ＡＳ」ともいう）。
（５）炭素数２〜４のアルキレンオキサイドのいずれか、又はエチレンオキサイドとプロピレンオキサイド（ＥＯとＰＯのモル比：ＥＯ／ＰＯ＝０．１／９．９〜９．９／０．１）を、平均０．５〜１０モル付加した炭素数１０〜２０の直鎖又は分岐鎖のアルキル（又はアルケニル）基を有するアルキル（又はアルケニル）エーテル硫酸塩（以下、「ＡＥＳ」ともいう）。
（６）炭素数２〜４のアルキレンオキサイドのいずれか、又はエチレンオキサイド（以下、「ＥＯ」ともいう）とプロピレンオキサイド（以下、「ＰＯ」ともいう）（ＥＯとＰＯのモル比：ＥＯ／ＰＯ＝０．１／９．９〜９．９／０．１）を、平均３〜３０モル付加した炭素数１０〜２０の直鎖又は分岐鎖のアルキル（又はアルケニル）基を有するアルキル（又はアルケニル）フェニルエーテル硫酸塩。
（７）炭素数２〜４のアルキレンオキサイドのいずれか、又はエチレンオキサイドとプロピレンオキサイド（ＥＯとＰＯのモル比：ＥＯ／ＰＯ＝０．１／９．９〜９．９／０．１）を、平均０．５〜１０モル付加した炭素数１０〜２０の直鎖又は分岐鎖のアルキル（又はアルケニル）基を有するアルキル（又はアルケニル）エーテルカルボン酸塩。
（８）炭素数１０〜２０のアルキルグリセリルエーテルスルホン酸のようなアルキル多価アルコールエーテル硫酸塩。
（９）長鎖モノアルキル、ジアルキル又はセスキアルキルリン酸塩。
（１０）ポリオキシエチレンモノアルキル、ジアルキル又はセスキアルキルリン酸塩。
（１１）石鹸。
石鹸としては、脂肪酸の平均炭素数が１０〜２０、好ましくは炭素数１２〜１８の高級脂肪酸のアルカリ金属塩、より好ましくはナトリウム又はカリウム塩が挙げられる。脂肪酸のアルキル基は直鎖状であるのが好ましい。鎖長は、単一のものでも二種以上の混合物であってもどちらも好適に用いることが出来る。これらのアニオン界面活性剤は、ナトリウム、カリウムといったアルカリ金属塩や、アミン塩、アンモニウム塩等として用いることができる。また、これらのアニオン界面活性剤は混合物として使用してもよい。
【００２８】
（ノニオン界面活性剤）
ノニオン界面活性剤としては、たとえば、以下のものを挙げることができる。
（１）下記一般式（ｎ１）で表される非イオン性界面活性剤。
Ｒ３−Ｔ−［（Ｒ４Ｏ）ｐ−Ｒ５］ｑ    …（ｎ１）
式中、Ｒ３は炭素数６〜２２の炭化水素基、好ましくは８〜１８、より好ましくは１２〜１６のアルキル基又はアルケニル基である。
Ｒ４は炭素数２〜４のアルキレン基、好ましくはエチレン基である。
Ｒ５は炭素数１〜３のアルキレン基又は水素原子、好ましくは水素原子である。
ｐはＲ４Ｏの平均繰り返し数（アルキレンオキサイドの平均付加モル数）を表し、１〜３０の数である。ｐは、好ましくは３〜２５、特に好ましくは５〜２０である。
Ｔは−Ｏ−、−Ｎ−、−ＮＨ−、−Ｎ（Ｃ２Ｈ４ＯＨ）−、−ＣＯＯ−、−ＣＯＮ−、−ＣＯＮＨ−又は−ＣＯＮ（Ｃ２Ｈ４ＯＨ）−であり、Ｔが−Ｏ−、−ＮＨ−、−Ｎ（Ｃ２Ｈ４ＯＨ）−、−ＣＯＯ−、−ＣＯＮＨ−、又は−ＣＯＮ（Ｃ２Ｈ４ＯＨ）−の場合は、ｑは１であり、Ｔが−Ｎ−又は−ＣＯＮ−の場合は、ｑは２である。
【００２９】
上記一般式（ｎ１）で表される非イオン性界面活性剤の好ましい例として、下記一般式（ｎ１−１）で表される化合物を挙げることができる。
Ｒ３−Ｏ−（Ｃ２Ｈ４Ｏ）ｓ（Ｃ３Ｈ６Ｏ）ｔ（Ｃ２Ｈ４Ｏ）ｕ−Ｒ５    …（ｎ１−１）
式中、Ｒ３及び Ｒ５それぞれ前記と同じ意味を表す。
ｓ及びｕはそれぞれオキシエチレン基の平均繰り返し数（エチレンオキサイドの平均付加モル数）を表し、ｓは２〜２５、好ましくは５〜２０の数であり、ｕは０〜５の数である。
ｔは、オキシプロピレン基の平均繰り返し数（プロピレンオキサイドの平均付加モル数）を表し、０〜５の数である。
式（ｎ１−１）中、（Ｃ２Ｈ４Ｏ）ｓ（Ｃ３Ｈ６Ｏ）ｔ（Ｃ２Ｈ４Ｏ）ｕの部分構造において、（Ｃ２Ｈ４Ｏ）と（Ｃ３Ｈ６Ｏ）はランダム又はブロック付加体であってもよい。
【００３０】
この中でも、ポリオキシエチレンアルキルエーテル、ポリオキシエチレンアルケニルエーテル、ポリオキシエチレンポリオキシプロピレンアルキルエーテル、ポリオキシエチレンポリオキシプロピレンアルケニルエーテルが好適なものとして挙げられる。
ここで使用される脂肪族アルコールとしては、第１級アルコール、第２級アルコールが挙げられ、第１級アルコールが好ましい。また、アルキル基又はアルケニル基は、直鎖状であってもよく、分岐鎖状であってもよい。
例えば、炭素数１２〜１８のアルキル基又はアルケニル基を１つ以上有するポリオキシエチレンアルキルエーテルが好ましく、オキシエチレン基が平均５〜２０モル付加されたものが特に好ましい。
【００３１】
（２）ポリオキシエチレンアルキルフェニルエーテル又はポリオキシエチレンアルケニルフェニルエーテル。
（３）グリセリン脂肪酸エステル。
（４）ポリオキシエチレンソルビタン脂肪酸エステル。
（５）ポリオキシエチレンソルビット脂肪酸エステル。
（６）ポリオキシエチレン脂肪酸エステル。
（７）ポリオキシエチレン硬化ヒマシ油。
これらのノニオン界面活性剤は、１種単独で、又は２種以上を適宜組み合わせて用いることができる。
【００３２】
上記のノニオン界面活性剤のなかでも、（１）のノニオン界面活性剤が好ましく、融点が５０℃以下で、ＨＬＢが９〜１６のポリオキシエチレンアルキルエーテル、ポリオキシエチレンアルケニルエーテル、ポリオキシエチレンポリオキシプロピレンアルキルエーテル、ポリオキシエチレンポリオキシプロピレンアルケニルエーテル、脂肪酸メチルエステルにエチレンオキサイドが付加された脂肪酸メチルエステルエトキシレート、脂肪酸メチルエステルにエチレンオキサイドとプロピレンオキサイドとが付加された脂肪酸メチルエステルエトキシプロポキシレート等が好適に用いられる。
なお、上記の「ＨＬＢ」とは、Ｇｒｉｆｆｉｎの方法により求められた値である（吉田、進藤、大垣、山中共編、「新版界面活性剤ハンドブック」，工業図書株式会社，１９９１年，第２３４頁参照）。
また、上記の「融点」とは、ＪＩＳ Ｋ ００６４−１９９２「化学製品の融点及び溶融範囲測定方法」に記載されている融点測定法によって測定された値を意味する。
【００３３】
（カチオン界面活性剤）
カチオン界面活性剤としては、たとえば、以下のものを挙げることができる。
（１）ジ長鎖アルキルジ短鎖アルキル型４級アンモニウム塩。
（２）モノ長鎖アルキルトリ短鎖アルキル型４級アンモニウム塩。
（３）トリ長鎖アルキルモノ短鎖アルキル型４級アンモニウム塩。
ただし、上記の「長鎖アルキル」は、エステル基及び／又はアミド基で分断されていてもよい、総炭素数１２〜２６、好ましくは１４〜１８の、アルキル基又は二重結合を１個以上有するアルケニル基である。
「短鎖アルキル」は、フェニル基、ベンジル基、ヒドロキシ基、ヒドロキシアルキル基等の置換基を包含し、炭素間にエーテル結合を有していてもよい。なかでも、炭素数１〜４、好ましくは１〜２のアルキル基；ベンジル基；炭素数２〜４、好ましくは２〜３のヒドロキシアルキル基；炭素数２〜４、好ましくは２〜３のポリオキシアルキレン基が好適なものとして挙げられる。
上記カチオン界面活性剤は、１種単独で、又は２種以上を適宜組み合わせて用いることができる。
【００３４】
（両性界面活性剤）
両性界面活性剤としては、たとえばイミダゾリン系の両性界面活性、アミドベタイン系の両性界面活性剤等を挙げることができる。具体的には、２−アルキル−Ｎ−カルボキシメチル−Ｎ−ヒドロキシエチルイミダゾリニウムベタイン、ラウリン酸アミドプロピルベタインが好適なものとして挙げられる。
【００３５】
前記洗浄剤組成物（１）中の界面活性剤の含有量は、前記洗浄剤組成物（１）の総質量に対し、１０〜４０質量％であることが好ましく、１０〜３０質量％であることがより好ましい。
【００３６】
［洗浄性ビルダー］
洗浄性ビルダーとしては、無機ビルダー及び有機ビルダーが挙げられる。
無機ビルダーとしては、たとえば炭酸ナトリウム、炭酸カリウム、重炭酸ナトリウム、セスキ炭酸ナトリウム等のアルカリ金属炭酸塩；亜硫酸ナトリウム、亜硫酸カリウム等のアルカリ金属亜硫酸塩；結晶性層状珪酸ナトリウム［たとえば、クラリアントジャパン株式会社製の商品名「Ｎａ−ＳＫＳ−６」（δ−Ｎａ２Ｏ・２ＳｉＯ２）等の結晶性アルカリ金属珪酸塩］、非晶質アルカリ金属珪酸塩；硫酸ナトリウム、硫酸カリウム等の硫酸塩；珪酸ナトリウム等の非結晶性アルカリ金属珪酸塩；塩化ナトリウム、塩化カリウム等のアルカリ金属塩化物；オルソリン酸塩、ピロリン酸塩、トリポリリン酸塩、メタリン酸塩、ヘキサメタリン酸塩、フィチン酸塩等のリン酸塩；結晶性アルミノ珪酸塩、無定形アルミノ珪酸塩、炭酸ナトリウムと非晶質アルカリ金属珪酸塩の複合体（たとえば、「ＮＡＢＩＯＮ１５」、商品名：Ｒｈｏｄｉａ社製）等が挙げられる。
上記無機ビルダーの中でも、炭酸ナトリウム、アルミノ珪酸塩、又は溶解性向上の効果を併せ持つものとしてカリウム塩（炭酸カリウム、硫酸カリウム等）もしくはアルカリ金属塩化物（塩化カリウム、塩化ナトリウム等）が好ましい。
アルミノ珪酸塩としては、結晶性、非晶質（無定形）のいずれのものも用いることができ、カチオン交換能の点から結晶性アルミノ珪酸塩が好ましい。
結晶性アルミノ珪酸塩としては、Ａ型、Ｘ型、Ｙ型、Ｐ型ゼオライト等が好適である。
結晶性アルミノ珪酸塩の平均一次粒子径は０．１〜１０μｍが好ましい。なお、平均一次粒子径は、動的光散乱粒度分布計ＳＡＬＤ２３００（株式会社島津製作所製）を用い定法にて測定することができる。
【００３７】
有機ビルダーとしては、たとえばニトリロトリ酢酸塩（ＮＴＡ）、エチレンジアミンテトラ酢酸塩（ＥＤＴＡ）、β−アラニンジ酢酸塩（ＡＤＡＡ）、アスパラギン酸ジ酢酸塩（ＡＳＤＡ）、メチルグリシンジ酢酸塩（ＭＧＤＡ）、イミノジコハク酸塩（ＩＤＳ）等のアミノカルボン酸塩；セリンジ酢酸塩、ヒドロキシイミノジコハク酸塩（ＨＩＤＳ）、ヒドロキシエチルエチレンジアミン三酢酸塩、ジヒドロキシエチルグリシン塩等のヒドロキシアミノカルボン酸塩；ヒドロキシ酢酸塩、酒石酸塩、クエン酸塩、グルコン酸塩等のヒドロキシカルボン酸塩；ピロメリット酸塩、ベンゾポリカルボン酸塩、シクロペンタンテトラカルボン酸塩等のシクロカルボン酸塩；カルボキシメチルタルトロネート、カルボキシメチルオキシサクシネート、オキシジサクシネート、酒石酸モノ又はジサクシネート等のエーテルカルボン酸塩；ポリアクリル酸塩、アクリル酸−アリルアルコール共重合体の塩、アクリル酸−マレイン酸共重合体の塩、ポリグリオキシル酸等のポリアセタールカルボン酸の塩；ヒドロキシアクリル酸重合体、多糖類−アクリル酸共重合体等のアクリル酸重合体又は共重合体の塩；マレイン酸、イタコン酸、フマル酸、テトラメチレン１，２−ジカルボン酸、コハク酸、アスパラギン酸等の重合体又は共重合体の塩；デンプン、セルロース、アミロース、ペクチン等の多糖類酸化物等の多糖類誘導体等が挙げられる。
上記有機ビルダーの中でも、クエン酸塩、アミノカルボン酸塩、ヒドロキシアミノカルボン酸塩、ポリアクリル酸塩、アクリル酸−マレイン酸共重合体の塩、ポリアセタールカルボン酸の塩が好ましい。特に、ヒドロキシイミノジコハク酸塩、重量平均分子量が１０００〜８００００のアクリル酸−マレイン酸共重合体の塩、ポリアクリル酸塩、重量平均分子量が８００〜１００００００（好ましくは５０００〜２０００００）のポリグリオキシル酸等のポリアセタールカルボン酸塩（たとえば、特開昭５４−５２１９６号公報に記載のもの）が好適である。
【００３８】
上記洗浄性ビルダーは、１種単独で、又は２種以上を適宜組み合わせて用いることができる。
【００３９】
前記洗浄剤組成物（１）中の洗浄性ビルダーの含有量は、前記洗浄剤組成物（１）の総質量に対し、１０〜４０質量％であることが好ましく、１０〜３０質量％であることがより好ましい。
【００４０】
［色素］
色素としては、染料、顔料等の各種色素を用いることができる。化学構造により分類するとアゾ染料、アントラキノン染料、インジゴイド染料、フタロシアニン染料、カルボニウム染料、キノンイミン染料、メチン染料、キノリン染料、ニトロ染料、ニトロソ染料、ベンゾキノン及びナフトキノン染料、ナフタルイミド染料、ペリノン染料が挙げられる。また、酸化物等も挙げられ、酸化チタン、酸化鉄、銅フタロシアニン、コバルトフタロシアニン、群青、紺青、シアニンブルー、シアニングリーン等が挙げられる。これらの色素は１種又は２種以上を混合して配合することができる。
【００４１】
前記洗浄剤組成物（１）中の色素の含有量は、前記洗浄剤組成物（１）の総質量に対し、０．０００１〜０．１質量％であることが好ましく、０．００１〜０．０１質量％であることがより好ましい。
【００４２】
［蛍光増白剤］
蛍光増白剤としては、スチルベン、ピラゾリン、クマリン、カルボン酸、メチンシアニン、ジベンゾチオフェン−５−５−ジオキシド、アゾール、五員環及び六員環複素環式化合物の誘導体などが挙げられる。また例えば、４，４’−ビス−（２−スルホスチリル）−ビフェニル塩、４，４’−ビス−（４−クロロ−３−スルホスチリル）−ビフェニル塩、２−（スチリルフェニル）ナフトチアゾール誘導体、４，４’−ビス（トリアゾール−２−イル）スチルベン誘導体、ビス−（トリアジニルアミノスチルベン）ジスルホン酸誘導体等が挙げられる。
蛍光増白剤は、１種単独で、又は２種以上を適宜組み合わせて用いることができる。
蛍光増白剤の市販品として具体的には、ホワイテックスＳＡ、ホワイテックスＳＫＣ（以上、商品名：住友化学株式会社製）；チノパールＡＭＳ−ＧＸ、チノパールＤＢＳ−Ｘ、チノパールＣＢＳ−Ｘ（以上、商品名：チバ・ジャパン株式会社製）；ＬｅｍｏｎｉｔｅＣＢＵＳ−３Ｂ（以上、商品名：Ｋｈｙａｔｉ Ｃｈｅｍｉｃａｌｓ製）等が好適なものとして挙げられる。なかでも、チノパールＣＢＳ−Ｘ、チノパールＡＭＳ−ＧＸがより好ましい。
【００４３】
前記洗浄剤組成物（１）中の蛍光増白剤の含有量は、前記洗浄剤組成物（１）の総質量に対し、０．０１〜１質量％であることが好ましく、０．０４〜０．４質量％であることがより好ましい。
【００４４】
［漂白剤］
漂白剤としては、特に制限されず、一般の洗浄剤組成物に使用される漂白剤のいずれも好適に使用することができるが、好適なものとして水に溶解したときに過酸化水素を発生する無機過酸化物、又は有機過酸を使用することができる。例えば、過炭酸、過ホウ酸、パーオキシピロホスフェート、シトレートパーヒドレート、パーベンゾエート、パーオキソフタレート、ジパーアゼライン酸、フタロイミノ過酸、ジパードデカン二酸等のアルカリ金属塩が挙げられる。通常、過炭酸ナトリウム、過ホウ酸ナトリウムの一方あるいは両方が用いられる。特に、経時安定性の点から過炭酸ナトリウムが好ましい。無機過酸化物粒子の表面に水分や他の洗剤成分等が接触すると、無機過酸化物の分解が生じる場合があるため、これを防止するために被覆等の処理を施すことが好ましい。被覆が施された形態の粒子としては、既に提案されている酸素系漂白剤粒子を用いることができる。例えば特許第２９１８９９１号公報に記載の漂白剤粒子を挙げることができる。前記漂白剤粒子は、流動状態を保った過炭酸ナトリウム粒子にホウ酸水溶液とケイ酸アルカリ金属塩水溶液とを別々に噴霧して乾燥してなる造粒物である。上記の他に、従来知られているキレート剤等の安定化剤を被覆剤と併用してもよい。
【００４５】
前記洗浄剤組成物（１）中の漂白剤の含有量は、前記洗浄剤組成物（１）の総質量に対し、１〜２０質量％であることが好ましく、３〜１０質量％であることがより好ましい。
【００４６】
［漂白活性化剤、漂白活性化触媒］
漂白活性化剤としては、公知の化合物を用いることができるが、好ましくは有機過酸前駆体が用いられる。
有機過酸前駆体としては、テトラアセチルエチレンジアミン、炭素数１〜１８、好ましくは炭素数８〜１２のアルカノイル基を有するアルカノイルオキシベンゼンスルホン酸又はその塩、炭素数１〜１８、好ましくは炭素数８〜１２のアルカノイル基を有するアルカノイルオキシ安息香酸又はその塩が挙げられ、このうち、４−デカノイルオキシ安息香酸（ＤＯＢＡ）、４−ドデカノイルオキシベンゼンスルホン酸ナトリウム（ＤＯＢＳ）、４−ノナノイルオキシベンゼンスルホン酸ナトリウム（ＮＯＢＳ）が好ましい。これらは１種又は２種以上を適宜組み合わせて用いることができる。
漂白活性化剤を含有する粒子は、公知の製造方法で製造できる。例えば押出造粒法や、ブリケット機を用いた錠剤形状による造粒法により製造することができる。具体的には、有機過酸前駆体粒子は、ＰＥＧ＃３０００〜＃２００００、好ましくはＰＥＧ＃４０００〜＃６０００のポリエチレングリコール等の常温で固体のバインダー物質を加熱溶融した中に有機過酸前駆体とオレフィンスルホン酸塩、アルキルベンゼンスルホン酸塩、アルキル硫酸エステル塩等の界面活性剤の粉末を分鎖後、押し出して直径１ｍｍ程度のヌードル状の有機過酸前駆体造粒物を製造し、その後長さ０．５〜３ｍｍ程度に軽く粉砕して配合されることが好ましい。界面活性剤の粉末としては、アルキル鎖長１４のα−オレフィンスルホン酸塩が好ましい。
漂白活性化触媒としては、公知の化合物を用いることができる。具体例としては、銅、鉄、マンガン、ニッケル、コバルト、クロム、バナジウム、ルテニウム、ロジウム、パラジウム、レニウム、タングステン、モリブデン等の遷移金属原子と配位子とが、窒素原子や酸素原子等を介して錯体を形成したものであって、含まれる遷移金属としては、コバルト、マンガン等が好ましく、特にマンガンが好ましい。特に、特開２００４−１８９８９３号公報記載の漂白活性化触媒が好ましい。
漂白活性化触媒を含有する粒子は、公知の造粒法で製造できる。例えば押出造粒法、ブリケット機を用いた錠剤形状による造粒法により製造することができる。
【００４７】
前記洗浄剤組成物（１）中の漂白活性化剤又は漂白活性化触媒の含有量は、前記洗浄剤組成物（１）の総質量に対し、０．１〜５質量％であることが好ましく、０．２〜３質量％であることがより好ましい。
【００４８】
［酵素］
酵素としては、プロテアーゼ、エステラーゼ、リパーゼ、セルラーゼ、アミラーゼ、ペクチナーゼ、グルコシダーゼ等が好ましい。
プロテアーゼの具体例としては、ペプシン、トリプシン、キモトリプシン、コラーゲナーゼ、ケラチナーゼ、エラスターゼ、スプチリシン、パパイン、プロメリン、カルボキシペプチターゼＡ又はＢ、アミノペプチターゼ、アスパーギロペプチターゼＡ又はＢ等が挙げられる。市販品としては、サビナーゼ、アルカラーゼ、カンナーゼ、エバラーゼ、デオザイム（以上、商品名：ノボザイムズジャパン株式会社製）；ＡＰＩ２１（商品名：昭和電工株式会社製）；マクサカル、マクサペム（以上、商品名：ジェネンコア社製）；プロテアーゼＫ−１４又はＫ−１６（特開平５−２５４９２号公報に記載のプロテアーゼ）等を挙げることができる。
エステラーゼの具体例としては、ガストリックリパーゼ、バンクレアチックリパーゼ、植物リパーゼ類、ホスホリパーゼ類、コリンエステラーゼ類、ホスホターゼ類等が挙げられる。
リパーゼの具体例としては、リポラーゼ、ライペックス（以上、商品名：ノボザイムズジャパン株式会社製）、リポサム（商品名：昭和電工株式会社製）等の市販のリパーゼ等を挙げることができる。
セルラーゼとしては、たとえば市販品のセルクリーンやセルザイム（商品名：ノボザイムズジャパン株式会社製）；アルカリセルラーゼＫ、アルカリセルラーゼＫ−３４４、アルカリセルラーゼＫ−５３４、アルカリセルラーゼＫ−５３９、アルカリセルラーゼＫ−５７７、アルカリセルラーゼＫ−４２５、アルカリセルラーゼＫ−５２１、アルカリセルラーゼＫ−５８０、アルカリセルラーゼＫ−５８８、アルカリセルラーゼＫ−５９７、アルカリセルラーゼＫ−５２２、ＣＭＣアーゼＩ、ＣＭＣアーゼＩＩ、アルカリセルラーゼＥ−ＩＩ、及びアルカリセルラーゼＥ−ＩＩＩ（以上、特開昭６３−２６４６９９号公報に記載のセルラーゼ）等が挙げられる。
アミラーゼとしては市販のステインザイム、ターマミル、デュラミル（ノボザイムズジャパン株式会社製）等を挙げることができる。
上記酵素は、１種単独で、又は２種以上を適宜組み合わせて用いることができる。
なお、酵素は、別途安定な粒子として造粒したものを、洗剤生地（粒子）にドライブレンドした状態で使用することが好ましい。
【００４９】
前記洗浄剤組成物（１）中の酵素の含有量は、前記洗浄剤組成物（１）の総質量に対し、０．０１〜２質量％であることが好ましく、０．１〜１質量％であることがより好ましい。
【００５０】
［酵素安定剤］
酵素安定剤としては、たとえばカルシウム塩、マグネシウム塩、ポリオール、蟻酸、ホウ素化合物等を配合することができる。なかでも、４ホウ酸ナトリウム、塩化カルシウム等が好ましい。
酵素安定剤は、１種単独で、又は２種以上を適宜組み合わせて用いることができる。
【００５１】
前記洗浄剤組成物（１）中の酵素安定剤の含有量は、前記洗浄剤組成物（１）の総質量に対し、０．０１〜１質量％であることが好ましく、０．０５〜０．５質量％であることがより好ましい。
【００５２】
［ポリマー類］
洗浄剤組成物においては、例えば粒状洗浄剤組成物粒子を高密度化する場合に使用されるバインダーもしくは粉体物性調整剤として、又は疎水性微粒子（汚れ）に対する再汚染防止効果を付与するため、重量平均分子量が２００〜２００，０００のポリエチレングリコール、重量平均分子量１，０００〜１００，０００のアクリル酸及び／又はマレイン酸ポリマーの塩、ポリビニルアルコール、重量平均分子量が２，０００〜１，０００，０００、エーテル化度０．２〜１．０のカルボキシメチルセルロース（ＣＭＣ）、ヒドロキシプロピルメチルセルロース（ＨＰＭＣ）、カチオン化セルロース等のセルロース誘導体、粉末セルロースなどのセルロース等を配合することができる。ここで、重量平均分子量は、光散乱検出器を用いることで測定することができる。
また、汚れ放出剤として、テレフタル酸に由来する繰返し単位と、エチレングリコール及び／又はプロピレングリコールに由来する繰返し単位とのコポリマー、又はターポリマー等を配合することができる。
また、色移り防止効果を付与するため、ポリビニルピロリドン、ポリアミンＮ−オキシド含有ポリマー、Ｎ−ビニルピロリドンとＮ−ビニルイミダゾールとの共重合体、ポリ（４−ビニルピリジン−Ｎ−オキシド）等を配合することができる。
かかるポリマー類は、１種単独で、又は２種以上を適宜組み合わせて用いることができる。
【００５３】
前記洗浄剤組成物（１）中のポリマー類の含有量は、前記洗浄剤組成物（１）の総質量に対し、０．１〜１０質量％であることが好ましく、０．５〜５質量％であることがより好ましい。
【００５４】
［ケーキング防止剤］
ケーキング防止剤としては、パラトルエンスルホン酸塩、キシレンスルホン酸塩、クメンスルホン酸塩、酢酸塩、スルホコハク酸塩、タルク、微粉末シリカ、粘土、酸化マグネシウム等を配合することができる。
【００５５】
前記洗浄剤組成物（１）中のケーキング防止剤の含有量は、前記洗浄剤組成物（１）の総質量に対し、０．１〜５質量％であることが好ましく、０．１〜３質量％であることがより好ましい。
【００５６】
［消泡剤］
消泡剤としては、従来公知のもの、たとえばシリコーン／シリカ系の消泡剤を挙げることができる。また、かかる消泡剤は、下記の製造方法により得られる消泡剤造粒物として用いてもよい。
まず、マルトデキストリン（商品名：日澱化学株式会社製；酵素変性デキストリン）１００ｇに、消泡剤成分としてシリコーン（コンパウンド型、「ＰＳアンチフォーム」商品名：ダウコーニング社製）２０ｇを添加し混合して均質混合物を得る。次に、得られた均質混合物５０質量％、ポリエチレングリコール（ＰＥＧ−６０００，融点５８℃）２５質量％、及び中性無水芒硝２５質量％を７０〜８０℃で混合した後、押出し造粒機（型式ＥＸＫＳ−１：不二パウダル株式会社製）により造粒し、消泡剤造粒物を得る（特開平３−１８６３０７号公報参照）。
【００５７】
前記洗浄剤組成物（１）中の消泡剤の含有量は、前記洗浄剤組成物（１）の総質量に対し、０．１〜５質量％であることが好ましく、０．２〜２質量％であることがより好ましい。
【００５８】
［還元剤］
還元剤としては、亜硫酸ナトリウム、亜硫酸カリウム等が挙げられる。
【００５９】
［粘土鉱物］
粘土鉱物は、洗濯した繊維製品に柔軟性を付与する目的として用いられる。
粘土鉱物としては、ベントナイト等が挙げられる。
粘土鉱物は１種単独で、又は２種以上を適宜組み合わせて用いることができる。
【００６０】
前記洗浄剤組成物（１）中の粘土鉱物の含有量は、前記洗浄剤組成物（１）の総質量に対し、０．１〜１０質量％であることが好ましく、１〜５質量％であることがより好ましい。
【００６１】
［繊維処理用シリコーン化合物］
繊維処理用シリコーン化合物は、洗濯した繊維製品の風合いを改善する目的で使用される。
繊維処理用シリコーン化合物としては、一般的に繊維処理に使用されているシリコーン化合物を使用することができ、例えばジメチルシリコーン、ポリエーテル変性シリコーン、メチルフェニルシリコーン、アルキル変性 シリコーン、高級脂肪酸変性シリコーン、メチルハイドロジェンシリコーン、フッ素変性シリコーン、エポキシ変性シリコーン、カルボキシ変性シリコーン、カルビノール変性シリコーン、及びアミノ変性シリコーンなどが挙げられる。これらは１種を単独で又は２種以上の混合物として使用することができる。
【００６２】
前記洗浄剤組成物（１）中の繊維処理用シリコーン化合物の含有量は、前記洗浄剤組成物（１）の総質量に対し、０．１〜５質量％であることが好ましく、０．５〜３質量％であることがより好ましい。
【００６３】
［紫外線吸収剤］
紫外線吸収剤は、洗濯した繊維製品を紫外線から守る目的で使用される。
紫外線吸収剤としては、スチルベン、ベンゾフェノン及びベンゾトリアゾールの誘導体化合物が挙げられ、スチルベン誘導体が好ましい。スチルベン誘導体の中でも、チバ・ジャパン株式会社製の商品名Ｔｉｎｏｓｏｒｂ ＦＤ、Ｔｉｎｏｓｏｒｂ ＦＲが好ましく、Ｔｉｎｏｓｏｒｂ ＦＤが特に好ましい。
【００６４】
前記洗浄剤組成物（１）中の紫外線吸収剤の含有量は、前記洗浄剤組成物（１）の総質量に対し、０．０１〜１質量％であることが好ましく、０．０４〜０．４質量％であることがより好ましい。
【００６５】
［ｐＨ調整剤］
洗浄剤組成物のｐＨは、特に限定されないが、洗浄剤組成物が固形洗浄剤の場合、洗浄性能の点から、洗浄剤組成物の１質量％水溶液におけるｐＨが好ましくは８以上、前記１質量％水溶液におけるｐＨがより好ましくは９〜１１である。前記ｐＨが８以上であることにより、洗浄効果をより高められる。
洗浄剤組成物のｐＨを制御するための技術としては、通常アルカリ剤によってｐＨ調整が行われる。アルカリ剤としては、前記洗浄性ビルダーに記載のアルカリ性製剤の他、モノエタノールアミン、ジエタノールアミン、トリエタノールアミン等のアルカノールアミン、水酸化ナトリウム、水酸化カリウム等が挙げられる。
例えば、水への溶解性及びアルカリ度の点から、炭酸ナトリウムと珪酸ナトリウムと水との割合が５５／２９／１６（質量比）の混合物であるＮＡＢＩＯＮ１５（商品名、ローディア社製）等の複合粒子を用いることもできる。
また、前記の１質量％水溶液のｐＨが高くなりすぎないように、酸等を用いて上記ｐＨの範囲に調整してもよい。
酸としては、前記金属イオン捕捉剤、リン酸２水素カリウム等のアルカリ金属リン酸２水素塩、乳酸、コハク酸、リンゴ酸、グルコン酸、又はそれらのポリカルボン酸、炭酸水素ナトリウム、硫酸、塩酸等を使用することができる。
ｐＨ調整剤は、１種単独で、又は２種以上を適宜組み合わせて用いることができる。
また、洗浄時に繊維の汚れに由来する酸成分によるｐＨの低下を防止するための緩衝剤の使用も可能である。
【００６６】
前記洗浄剤組成物（１）中のｐＨ調整剤の含有量は、前記洗浄剤組成物（１）の総質量に対し、５〜４０質量％であることが好ましく、１０〜３０質量％であることがより好ましい。
【００６７】
［酸化防止剤］
酸化防止剤は、製品の安定性を向上する目的で使用される。
酸化防止剤としては、特に限定はされないが、一般に知られている天然系酸化防止剤、合成系酸化防止剤が挙げられる。具体的には、アスコルビン酸、アスコルビン酸パルミテート、没食子酸プロピルの混合物；ＢＨＴ（ブチル化ヒドロキシトルエン）、ＢＨＡ（ブチル化ヒドロキシアニソール）、没食子酸プロピル、クエン酸の混合物、ハイドロキノン、三級ブチルハイドロキノン、天然のトコフェロール系化合物、没食子酸の長鎖エステル（Ｃ８〜Ｃ２２）、例えば没食子酸ドデシル、チバスペシャルティケミカルから入手可能なイルガノックス系化合物、クエン酸及び／又はクエン酸イソプロピル、１−ヒドロキシエチリデン−１，１−ジホスホン酸（エチドロン酸）、４，５−ジヒドロキシ−ｍ−ベンゼンスルホン酸又はそのナトリウム塩、ジメトキシフェノール、カテコール、メトキシフェノール、カロチノイド、フラン類、アミノ酸類等が挙げられる。
酸化防止剤は、１種単独で用いられてもよいし、２種以上が組み合わされて用いられてもよい。
【００６８】
前記洗浄剤組成物（１）中の酸化防止剤の含有量は、前記洗浄剤組成物（１）の総質量に対し、０．０１〜５質量％であることが好ましく、０．１〜１質量％であることがより好ましい。
【００６９】
［防腐剤］
防腐剤は、液体洗剤の菌発生を防止する目的で使用される。
防腐剤としては、例えば、イソチアゾロン系の有機硫黄化合物、ベンズイソチアゾロン系の有機硫黄化合物、安息香酸類、２−ブロモ−２−ニトロ−１，３−プロパンジオール等が挙げられる。
イソチアゾロン系の有機硫黄化合物としては、５−クロロ−２−メチル−４−イソチアゾリン−３−オン、２−ｎ−ブチル−３−イソチアゾロン、２−ベンジル−３−イソチアゾロン、２−フェニル−３−イソチアゾロン、２−メチル−４，５−ジクロロイソチアゾロン、５−クロロ−２−メチル−３−イソチアゾロン、２−メチル−４−イソチアゾリン−３−オン又はこれらの混合物等が挙げられる。中でも、５−クロロ−２−メチル−４−イソチアゾリン−３−オン、２−メチル−４−イソチアゾリン−３−オンが好ましく、５−クロロ−２−メチル−４−イソチアゾリン−３−オンと２−メチル−４−イソチアゾリン−３−オンとの混合物がより好ましく、前者が約７７質量％と後者が約２３質量％との混合物が特に好ましい。
ベンズイソチアゾロン系の有機硫黄化合物としては、１，２−ベンズイソチアゾリン−３−オン、２−メチル−４，５−トリメチレン−４−イソチアゾリン−３−オン、類縁化合物としてジチオ−２，２−ビス（ベンズメチルアミド）又はこれらの混合物等が挙げられる。中でも、１，２−ベンズイソチアゾリン−３−オンが特に好ましい。
安息香酸類としては、安息香酸又はその塩、パラヒドロキシ安息香酸又はその塩、パラオキシ安息香酸メチル、パラオキシ安息香酸エチル、パラオキシ安息香酸プロピル、パラオキシ安息香酸ブチル、パラオキシ安息香酸ベンジル等が挙げられる。
この中でも、ベンゾイソチアゾロン系がこのましい。防腐剤は１種単独で用いられてもよいし、２種以上が組み合わされて用いられてもよい。
【００７０】
前記洗浄剤組成物（１）中の防腐剤の含有量は、前記洗浄剤組成物（１）の総質量に対し、１０〜１０００ｐｐｍであることが好ましく、２０〜２００ｐｐｍであることがより好ましい。
【００７１】
［工程剤］
前記洗浄剤組成物（１）が固体（粉末）の場合、工程剤として硫酸ナトリウムや炭酸カルシウムを使用することがある。
前記洗浄剤組成物（１）が固体の場合、前記洗浄剤組成物（１）中の工程剤の含有量は、前記洗浄剤組成物（１）の総質量に対し、１〜４０質量％であることが好ましい。
【００７２】
［水］
水としては、水道水、イオン交換水、純水、蒸留水等、いずれも用いることができ、中でも、イオン交換水が好適である。
【００７３】
前記洗浄剤組成物（１）が液体の場合、前記洗浄剤組成物（１）中の水の含有量は、前記洗浄剤組成物（１）の総質量に対し、３０〜８０質量％であることが好ましく、４０〜７０質量％であることがより好ましい。
前記洗浄剤組成物（１）が固体の場合、前記洗浄剤組成物（１）中の水の含有量は、前記洗浄剤組成物（１）の総質量に対し、１〜１０質量％であることが好ましく、２〜１０質量％であることがより好ましく、３〜７質量％であることがさらに好ましい。
【００７４】
［溶剤］
水以外の溶剤としては、特に限定されず、洗浄剤組成物に配合される溶剤として公知の溶剤を用いることができる。
溶剤としては、水溶性溶剤が好ましい。水溶性溶剤としては、低級（炭素数１〜４）アルコール、グリコールエーテル系溶剤及び多価アルコールからなる群から選択される少なくとも１種以上の水溶性溶剤が好ましく、エタノール、イソプロパノール、グリセリン、エチレングリコール、プロピレングリコール、ジエチレングリコール、ジプロピレングリコール、ヘキシレングリコール、ポリオキシエチレンフェニルエーテル、及び下記一般式（ＩＩ）で表される化合物からなる群から選択される少なくとも１種の水溶性溶剤が好ましい。
Ｒ６−Ｏ−（Ｃ２Ｈ４Ｏ）ｙ−（Ｃ３Ｈ６Ｏ）ｚ−Ｈ  ・・・（ＩＩ）
式（ＩＩ）中、Ｒ６は、炭素数１〜６（好ましくは炭素数２〜４）のアルキル基又はアルケニル基である。ｙはオキシエチレン基の平均繰返し数を表す数であり、１〜１０が好ましく、２〜５がより好ましい。ｚはオキシプロピレン基の平均繰返し数を表す数であり、０〜５が好ましく、０〜２がより好ましい。
式（ＩＩ）で表される水溶性溶剤としては、例えば、ブチルカルビトール、ジエチレングリコールモノプロピレングリコールモノブチルエーテル等が挙げられる。
上述した水溶性溶剤の中でも、エタノール、エチレングリコール、ブチルカルビトール、プロピレングリコール、ジエチレングリコールモノプロピレングリコールモノブチルエーテル、グリセリンが好ましい。
【００７５】
前記洗浄剤組成物（１）が液体の場合、前記洗浄剤組成物（１）中の溶剤の含有量は、前記洗浄剤組成物（１）の総質量に対し、１〜１０質量％であることが好ましく、２〜５質量％であることがより好ましい。
なお、上記含有量は、香料組成物中の溶剤は含まないものとする。
【００７６】
＜洗浄剤組成物（１）の剤形・物性＞
洗浄剤組成物（１）の剤形は、固形でも液体でもよい。
固形洗浄剤は、粒状（粉末、顆粒）洗浄剤、タブレット洗浄剤、ブリケット洗浄剤、バー状洗浄剤、又は粒状洗浄剤もしくはペースト状洗浄剤を水溶性フィルム、シートなどで個別包装した分包型洗浄剤等の各種剤型に調製したものの総称である。
洗浄剤組成物（１）の剤形としては、本発明の有用性の点から、固形が好ましく、粒状が特に好ましい。
【００７７】
洗浄剤組成物（１）は、下記の測定方法で測定されるアルキルメチルケトン量が５．３ｎｇ以下であることが好ましく、４．０ｎｇ以下であることがより好ましい。前記アルキルメチルケトン量が少ないほど、α−スルホ脂肪酸アルキルエステル塩由来の臭気によって、製品香気が悪化することや香料（Ｂ）の香り立ちが阻害されることが抑制され、製品香気が向上する。
（アルキルメチルケトン量の測定方法）
洗浄剤組成物３ｇを精秤して、容量２０ｍＬの密閉可能な容器（バイアル瓶等）に入れて密閉し、４０℃の恒温槽内で３０分間静置した後、前記容器内のヘッドスペース部分に固相マイクロ抽出（以下、ＳＰＭＥともいう。）ファイバーを４０℃で１時間露出させ、前記ヘッドスペース部分から炭素数４〜８のアルキル基を有するアルキルメチルケトンを抽出する。前記抽出後のＳＰＭＥファイバーをガスクロマトグラフィー質量分析装置（ＧＣ−ＭＳ）にて分析し、前記ヘッドスペース部分から抽出された前記アルキルメチルケトンの合計の抽出量（ｎｇ）を求め、その値をアルキルメチルケトン量とする。
本明細書において「ヘッドスペース」とは、洗浄剤組成物を密閉可能な容器に入れて密閉した際に、組成物の表面と容器の蓋との間に形成される空間を意味する。
固相マイクロ抽出ファイバーとは、フューズドシリカロッドの表面に各種液相を化学結合またはコーティングしたニードルのことである。
ガスクロマトグラフィー質量分析装置にて分析する際の測定条件は、固相マイクロ抽出ファイバーを直接注入口に挿入して抽出物をガスクロマトグラフ用カラムに導入し、カラム内で分離された成分のイオン強度を検出する方法が挙げられる。
詳しい分析条件は後述の［実施例］に示す。
なお、アルキルメチルケトン量が多くなると、α−スルホ脂肪酸アルキルエステル塩由来の臭気を強く感じるようになる。そのため、上記アルキルメチルケトン量の測定方法は、α−スルホ脂肪酸アルキルエステル塩を含む洗浄剤組成物の臭気を測定する方法として有用である。
【００７８】
＜洗浄剤組成物（１）の製造方法＞
洗浄剤組成物（１）の製造方法は、特に限定されず、製造しようとする洗浄剤組成物の剤形に応じ、常法に準じて製造できる。
洗浄剤組成物が液体である場合の製造方法としては、配合釜によるバッチ式の製造方法が挙げられる。例えば、水等の液体媒体に、α−スルホ脂肪酸アルキルエステル塩、香料組成物、及び必要に応じて任意成分を加えて混合する工程、を含む方法が挙げられる。
洗浄剤組成物が固体（粒状）である場合の製造方法としては、例えば、水等の液体媒体に、α−スルホ脂肪酸アルキルエステル塩、香料組成物、及び必要に応じて任意成分を加えて混合する工程、を含む方法が挙げられる。
その他、洗浄剤組成物が固体である場合の製造方法としては、例えば、α−スルホ脂肪酸アルキルエステル塩、及び必要に応じて任意成分を含む粒子群（以下、ベース粒子群、ベース洗剤ともいう。）に香料組成物を噴霧する方法、前記方法により得られた粒状群を任意の剤形に成形する方法等が挙げられる。
【００７９】
ベース粒子群を構成する粒子は１種でも２種以上でもよい。ベース粒子群は、少なくとも、α−スルホ脂肪酸アルキルエステル塩含有粒子を含む。洗浄剤組成物（１）が任意成分を含む場合、任意成分は、α−スルホ脂肪酸アルキルエステル塩含有粒子に含まれてもよく、α−スルホ脂肪酸アルキルエステル塩含有粒子を含まない他の粒子に含まれてもよい。
α−スルホ脂肪酸アルキルエステル塩含有粒子としては、市販のものを用いてもよく、公知の製造方法（例えば前記で粉体状のα−スルホ脂肪酸アルキルエステル塩の製造方法として挙げた方法）により製造したものを用いてもよい。
【００８０】
ベース粒子群が、他の界面活性剤、洗浄性ビルダー等の任意成分を含む場合、ベース粒子群の製造方法としては、以下の方法（１）〜（３）のいずれかが好ましい。
（１）ベース粒子群の原料（以下、洗剤原料ともいう。）を含むスラリーを調製し噴霧乾燥して噴霧乾燥粒子とする方法。
（２）洗剤原料の一部を含む噴霧乾燥粒子と残りの洗剤原料とを配合し、捏和・押出し造粒法（捏和・押出し・粉砕）、撹拌造粒法、転動造粒法等により造粒して造粒物とする方法。
（３）それぞれ異なる洗剤原料を含む粒子（粉末状の原料、噴霧乾燥粒子、造粒物等）を機械的に混合（粉体混合）する方法。
【００８１】
ベース粒子群の製造時、前記方法（１）において、α−スルホ脂肪酸アルキルエステル塩は、噴霧乾燥するためのスラリーに配合されてもよい。前記方法（２）において、造粒時に噴霧乾燥粒子と配合されてもよい。また、前記方法（３）において、粉体状のα−スルホ脂肪酸アルキルエステル塩が、α−スルホ脂肪酸アルキルエステル塩を含まない他の粒子と粉体混合されてもよい。
前記方法（３）によりα−スルホ脂肪酸アルキルエステル塩の粒子を他の粒子と粉体混合した場合に、得られる洗浄剤組成物（１）においてα−スルホ脂肪酸アルキルエステル塩由来の臭気の影響が最も大きく現れる傾向がある。そのため、本発明を適用することの有用性が大きいことから、ベース粒子群の製造方法としては、前記方法（３）の通り、粉体状のα−スルホ脂肪酸アルキルエステル塩と、残りの洗剤原料を含み、α−スルホ脂肪酸アルキルエステル塩を含まない他の粒子とを粉体混合する方法が好ましい。
ベース粒子群の好ましい製造方法の例として、α−スルホ脂肪酸アルキルエステル塩以外の洗剤原料の一部又は全部を水と共に均一に混合してスラリーを調製し、前記スラリーを噴霧乾燥して得られた噴霧乾燥粒子と、粉体状のα−スルホ脂肪酸アルキルエステル塩と、残りの洗剤原料（粉体状のもの。スラリーにα−スルホ脂肪酸アルキルエステル塩以外の洗剤原料の一部が配合される場合）を粉体混合する方法等が挙げられる。α−スルホ脂肪酸アルキルエステル塩以外の洗剤原料としては、前述の任意成分で例示したものが挙げられ、特に界面活性剤、洗浄性ビルダー、水、ポリマー類、及び蛍光剤が含まれていることが好ましく、スラリーの分散の安定化の観点からポリマー類が含まれていることがより好ましい。
α−スルホ脂肪酸アルキルエステル塩以外の洗剤原料の一部又は全部を水と共に４０〜８０℃、２０分〜２時間混合してスラリーを形成することが好ましい。噴霧乾燥では、得られたスラリーを２００〜４００℃、水分２〜１０質量％となるように乾燥することが好ましい。得られた噴霧乾燥粒子の平均粒子径は、２００〜６００μｍであることが好ましく、３００〜５００μｍであることがより好ましい。
粉体混合は、トロンメルなどの混合器を用いて行うことができる。粉体混合は１０〜５０℃で行うことが好ましい。粉体状のα−スルホ脂肪酸アルキルエステル塩の平均粒子径は、２００〜６００μｍであることが好ましく、３００〜５００μｍであることがより好ましい。残りの洗剤原料の平均粒子径は、２００〜１０００μｍであることが好ましく、３００〜５００μｍであることがより好ましい。得られるベース粒子群の平均粒子径は、２００〜１０００μｍであることが好ましく、３００〜５００μｍであることがより好ましい。なお、平均粒子径は、篩で測定することができる。
粉体混合に用いられる粉体状のα−スルホ脂肪酸アルキルエステル塩中のα−スルホ脂肪酸アルキルエステル塩の含有量（純分）は、前記粉体の総質量に対して、５０〜９０質量％が好ましく、６０〜９０質量％がより好ましい。６０質量％以上であると保存時に粉体が凝集して塊状化することが抑制され、９０質量％以下であると水への溶解性に優れる。
粉体状のα−スルホ脂肪酸アルキルエステル塩は、製造工程で生成する不純物や、造粒や粉砕の際に用いられる助剤（ゼオライト等）を含有してもよい。
【００８２】
ベース粒子群に香料組成物を噴霧する方法としては、噴霧器を用いて、１０〜３０℃にて、ベース粒子群５００〜１０００ｇに対し、香料組成物を１〜１０ｇ噴霧することが好ましい。
【００８３】
≪第二の態様の洗浄剤組成物≫
本発明の第二の態様の洗浄剤組成物（以下、洗浄剤組成物（２）ともいう。）は、α−スルホ脂肪酸アルキルエステル塩と、香料組成物とを含有する。
【００８４】
＜α−スルホ脂肪酸アルキルエステル塩＞
α−スルホ脂肪酸アルキルエステル塩は前記と同様である。
洗浄剤組成物（２）中に含まれるα−スルホ脂肪酸アルキルエステル塩は１種でも２種以上でもよい。
洗浄剤組成物（２）中のα−スルホ脂肪酸アルキルエステル塩の含有量は、前記洗浄剤組成物（２）の総質量に対し、１〜３０質量％であり、４〜３０質量％が好ましく、８〜３０質量％がより好ましく、８〜２０質量％がさらに好ましい。
α−スルホ脂肪酸アルキルエステル塩の含有量が１質量％以上であると、α−スルホ脂肪酸アルキルエステル塩による洗浄性能の増加効果が向上し、３０質量％以下であると、本発明の効果（たとえば、α−スルホ脂肪酸アルキルエステル塩由来の臭気による不快臭の抑制効果、前記臭気による香料の香り立ち阻害の抑制効果等）がより有効である。
【００８５】
＜香料組成物＞
香料組成物は、香料（Ａ）を含有する。香料（Ａ）は前記と同様である。
香料組成物は、必要に応じて、香料（Ａ）以外の他の香料成分、溶剤等をさらに含有してもよい。香料（Ａ）以外の他の香料成分、溶剤はそれぞれ前記と同様のものが挙げられる。
香料組成物は、特に、香料（Ａ）以外の他の香料成分として、香料（Ｂ）を含有することが好ましい。香料（Ｂ）は前記と同様である。
【００８６】
香料組成物中の香料（Ａ）の含有量は、香料組成物の総質量に対し、２０質量％以上であり、３０質量％以上が好ましく、５０質量％以上がより好ましい。具体的には７０〜９０質量％が好ましく、８０〜９０質量％がより好ましい。
また、洗浄剤組成物（２）中の香料組成物の含有量は、洗浄剤組成物（２）の総質量に対し、０．２５〜１質量％であり、０．２５〜０．７質量％が好ましく、０．２５〜０．５質量％がより好ましい。
洗浄剤組成物（２）中の香料組成物の含有量が０．２５質量％以上、かつ香料組成物中の香料（Ａ）の含有量が２０質量％以上であることにより、α−スルホ脂肪酸アルキルエステル塩由来の臭気によって製品香気が悪化することが抑制される。また、香料（Ｂ）をさらに含有する場合に、前記臭気によって香料（Ｂ）の香り立ちが阻害されることが抑制される。そのため、製品香気が良好となる。
【００８７】
香料組成物中の香料（Ａ）の上限は特に限定されず、任意に配合される他の香料成分、溶剤等の含有量に応じて適宜設定される。
香料組成物が香料（Ｂ）をさらに含有する場合、香料組成物中の香料（Ｂ）の含有量は、香料（Ｂ）に対する香料（Ａ）の質量比が、Ａ／Ｂで表して１以上１０以下となる量である。
すなわち香料（Ｂ）の含有量は、香料（Ａ）の含有量１００質量部に対し、１０質量部以上１００質量部以下である。Ａ／Ｂは、１以上９以下が好ましく、１以上７以下がより好ましい。
なお、香料組成物中のＡ／Ｂの値は、洗浄剤組成物（２）中のＡ／Ｂの値と同じである。
【００８８】
＜任意成分＞
洗浄剤組成物（２）は、必要に応じて、α−スルホ脂肪酸アルキルエステル塩及び香料組成物以外の他の成分をさらに含有してもよい。前記他の成分としては、例えば、α−スルホ脂肪酸アルキルエステル塩以外の界面活性剤、洗浄性ビルダー、色素、蛍光増白剤、漂白剤、漂白活性化剤、漂白活性化触媒、酵素、酵素安定剤、ポリマー類、ケーキング防止剤、消泡剤、還元剤、金属イオン捕捉剤、粘土鉱物、繊維処理用シリコーン化合物、紫外線吸収剤、ｐＨ調整剤、酸化防止剤、防腐剤等が挙げられる。また、必要に応じて、水、溶剤等の液体媒体を含有してもよい。これらの具体例としては、それぞれ洗浄剤組成物（１）の説明で挙げたものと同様のものが挙げられる。これらの成分の含有量としては、それぞれ洗浄剤組成物（１）の説明で挙げた範囲と同様のものが挙げられる。
【００８９】
＜洗浄剤組成物（２）の形態・物性＞
洗浄剤組成物（２）の形態は、固形でも液体でもよい。
固形洗浄剤は、粒状（粉末、顆粒）洗浄剤、タブレット洗浄剤、ブリケット洗浄剤、バー状洗浄剤、又は粒状洗浄剤もしくはペースト状洗浄剤を水溶性フィルム、シートなどで個別包装した分包型洗浄剤等の各種剤型に調製したものの総称である。
洗浄剤組成物（２）の形態としては、本発明の有用性の点から、固形が好ましく、粒状が特に好ましい。
【００９０】
洗浄剤組成物（２）は、下記の測定方法で測定されるアルキルメチルケトン量が５．３ｎｇ以下であることが好ましく、４．０ｎｇ以下であることがより好ましい。前記アルキルメチルケトン量が少ないほど、α−スルホ脂肪酸アルキルエステル塩由来の臭気によって、製品香気が悪化することや香料（Ｂ）の香り立ちが阻害されることが抑制され、その結果、製品香気が向上する。
（アルキルメチルケトン量の測定方法）
洗浄剤組成物３ｇを精秤して、容量２０ｍＬの密閉可能な容器（バイアル瓶等）に入れて密閉し、４０℃の恒温槽内で３０分間静置した後、前記容器内のヘッドスペース部分にＳＰＭＥファイバーを４０℃で１時間露出させ、前記ヘッドスペース部分から炭素数４〜８のアルキル基を有するアルキルメチルケトンを抽出する。前記抽出後のＳＰＭＥファイバーをＧＣ−ＭＳにて分析し、前記ヘッドスペース部分から抽出された前記アルキルメチルケトンの合計の抽出量（ｎｇ）を求め、その値をアルキルメチルケトン量とする。
詳しい分析条件は後述の［実施例］に示す。
【００９１】
＜洗浄剤組成物（２）の製造方法＞
洗浄剤組成物（２）の製造方法は、特に限定されず、洗浄組成物（１）と同様、製造しようとする洗浄剤組成物の形態に応じ、常法に準じて製造できる。
たとえば洗浄剤組成物が粒状である場合、上述したように、香料以外の成分を含む粒子群（ベース粒子群）に香料組成物を噴霧することにより、目的の洗浄剤組成物を製造できる。
【００９２】
≪作用効果≫
本発明においては、洗浄剤組成物に香料（Ａ）を特定量以上含有させることにより、α−スルホ脂肪酸アルキルエステル塩由来の臭気の製品香気への影響を抑制することができる。
例えば、α−スルホ脂肪酸アルキルエステル塩由来の臭気により製品香気が悪化し、使用者に不快感を与えることを抑制できる。また、製品香気を特徴付ける香料（Ｂ）をさらに含有する場合に、香料（Ｂ）の香り立ちを前記臭気が阻害することが抑制され、香料（Ｂ）により付与された香気が充分に発揮され、製品香気が良好となる。
例えば洗浄剤組成物（１）又は（２）が密閉容器に収容された洗浄剤製品の場合、使用者が前記洗浄剤組成物（１）又は（２）を使用するために容器を開け、ヘッドスペース部分の空気が開放されたときに、使用者が不快臭を感じず、香料（Ｂ）によって付与された製品香気を充分に感じることができる。
【００９３】
香料（Ａ）は、香料成分としては比較的香気の弱いものであり、上記効果は、マスキング以外の作用によって奏されると考えられる。
本発明者らの検討によれば、α−スルホ脂肪酸アルキルエステル塩を配合した洗浄剤組成物を容器に収容したとき、臭気成分としてラクトン類が放出されヘッドスペースに溜まる。また、ラクトン類の他に、メチルケトン類、アルデヒド類、脂肪酸類等もヘッドスペース部分に溜まる。これらの成分はそれぞれアルキル鎖長分布を有する混合物である。例えばメチルケトン類の場合、炭素数４〜１２程度のアルキル鎖長を有するメチルアルキルケトンの混合物である。アルキルメチルケトン量は、α−スルホ脂肪酸アルキルエステル塩由来の臭気を抑制する効果を評価する指標として有用であると考えられる。
香料（Ａ）を洗浄剤組成物中に一定量以上配合すると、後述する実施例に示すように、ヘッドスペース内の、アルキル基の炭素数が４〜８のアルキルメチルケトンの量を減少させることができる。このことから、香料（Ａ）は、ヘッドスペース内におけるα−スルホ脂肪酸アルキルエステル塩由来の臭気成分の量を低減させることによって、上記効果を奏すると考えられる。
【００９４】
α−スルホ脂肪酸アルキルエステル塩由来の臭気成分は、α−スルホ脂肪酸アルキルエステル塩の原料、製造過程（反応率、漂白率など）の条件等により変動し、市販されているＭＥＳ間でも臭気成分の含有量は異なる。そのため、従来は、洗浄剤組成物の組成が同じでも、使用するα−スルホ脂肪酸アルキルエステル塩によって製品香気が変動する問題があった。
これに対し、本発明においては、α−スルホ脂肪酸アルキルエステル塩由来の臭気成分が製品香気に与える影響を抑制することができ、α−スルホ脂肪酸アルキルエステル塩由来の臭気成分含有量が変動しても、香料（Ｂ）による賦香を安定して行うことが出来る。そのため、本発明においては、洗浄剤組成物を工業的に大量生産する場合にも、α−スルホ脂肪酸アルキルエステル塩由来の臭気成分量の変動の影響を受けずに、安定した香気の洗浄剤組成物を得ることができる。
【００９５】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、ジヒドロミルセノール、酢酸イソボルニル、酢酸トリシクロデセニル及びプロピオン酸トリシクロデセニルからなる群から選択される少なくとも１種の香料成分を含む香料（Ａ）を含み、
前記香料（Ａ）の含有量が、前記洗浄剤組成物の総質量に対し、０．０７〜０．５質量％であることを特徴とする洗浄剤組成物であることが好ましい。
【００９６】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、α−ヘキシルシンナミックアルデヒド、サリチル酸アミル、イソ・イー・スーパー及びハバノライドからなる群から選択される少なくとも１種の香料成分を含む香料（Ａ）を含み、
前記香料（Ａ）の含有量が、前記洗浄剤組成物の総質量に対し、０．０７〜０．５質量％であることを特徴とする洗浄剤組成物であることが好ましい。
【００９７】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、リリアール、テトラヒドロリナロール、ベルドックス及びベルテネックスからなる群から選択される少なくとも１種の香料成分を含む香料（Ａ）を含み、
前記香料（Ａ）の含有量が、前記洗浄剤組成物の総質量に対し、０．０７〜０．５質量％であることを特徴とする洗浄剤組成物であることが好ましい。
【００９８】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、ジヒドロミルセノール、酢酸イソボルニル、酢酸トリシクロデセニル及びプロピオン酸トリシクロデセニルからなる群から選択される少なくとも１種の香料成分、並びにα−ヘキシルシンナミックアルデヒド、サリチル酸アミル、イソ・イー・スーパー及びハバノライドからなる群から選択される少なくとも１種の香料成分からなる香料（Ａ）を含み、
前記香料（Ａ）の含有量が、前記洗浄剤組成物の総質量に対し、０．０７〜０．５質量％であることを特徴とする洗浄剤組成物であることが好ましい。
【００９９】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、ジヒドロミルセノール、酢酸イソボルニル、酢酸トリシクロデセニル及びプロピオン酸トリシクロデセニルからなる群から選択される少なくとも１種の香料成分、並びにα−ヘキシルシンナミックアルデヒド、サリチル酸アミル、イソ・イー・スーパー及びハバノライドからなる群から選択される少なくとも１種の香料成分からなる香料（Ａ）を含み、
ジヒドロミルセノール、酢酸イソボルニル、酢酸トリシクロデセニル及びプロピオン酸トリシクロデセニルからなる群から選択される少なくとも１種の香料成分、並びにα−ヘキシルシンナミックアルデヒド、サリチル酸アミル、イソ・イー・スーパー及びハバノライドからなる群から選択される少なくとも１種の香料成分の質量比が１：１であり、
前記香料（Ａ）の含有量が、前記洗浄剤組成物の総質量に対し、０．０７〜０．５質量％であることを特徴とする洗浄剤組成物であることが好ましい。
【０１００】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、ジヒドロミルセノール、酢酸イソボルニル、酢酸トリシクロデセニル及びプロピオン酸トリシクロデセニルからなる群から選択される少なくとも１種の香料成分、並びにリリアール、テトラヒドロリナロール、ベルドックス及びベルテネックスからなる群から選択される少なくとも１種の香料成分からなる香料（Ａ）を含み、
前記香料（Ａ）の含有量が、前記洗浄剤組成物の総質量に対し、０．０７〜０．５質量％であることを特徴とする洗浄剤組成物であることが好ましい。
【０１０１】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、ジヒドロミルセノール、酢酸イソボルニル、酢酸トリシクロデセニル及びプロピオン酸トリシクロデセニルからなる群から選択される少なくとも１種の香料成分、並びにリリアール、テトラヒドロリナロール、ベルドックス及びベルテネックスからなる群から選択される少なくとも１種の香料成分からなる香料（Ａ）を含み、
ジヒドロミルセノール、酢酸イソボルニル、酢酸トリシクロデセニル及びプロピオン酸トリシクロデセニルからなる群から選択される少なくとも１種の香料成分、並びにリリアール、テトラヒドロリナロール、ベルドックス及びベルテネックスからなる群から選択される少なくとも１種の香料成分の質量比が１：１であり、
前記香料（Ａ）の含有量が、前記洗浄剤組成物の総質量に対し、０．０７〜０．５質量％であることを特徴とする洗浄剤組成物であることが好ましい。
【０１０２】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、α−ヘキシルシンナミックアルデヒド、サリチル酸アミル、イソ・イー・スーパー及びハバノライドからなる群から選択される少なくとも１種の香料成分、並びにリリアール、テトラヒドロリナロール、ベルドックス及びベルテネックスからなる群から選択される少なくとも１種の香料成分からなる香料（Ａ）を含み、
前記香料（Ａ）の含有量が、前記洗浄剤組成物の総質量に対し、０．０７〜０．５質量％であることを特徴とする洗浄剤組成物であることが好ましい。
【０１０３】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、α−ヘキシルシンナミックアルデヒド、サリチル酸アミル、イソ・イー・スーパー及びハバノライドからなる群から選択される少なくとも１種の香料成分、並びにリリアール、テトラヒドロリナロール、ベルドックス及びベルテネックスからなる群から選択される少なくとも１種の香料成分からなる香料（Ａ）を含み、
α−ヘキシルシンナミックアルデヒド、サリチル酸アミル、イソ・イー・スーパー及びハバノライドからなる群から選択される少なくとも１種の香料成分、並びにリリアール、テトラヒドロリナロール、ベルドックス及びベルテネックスからなる群から選択される少なくとも１種の香料成分の質量比が１：１であり、
前記香料（Ａ）の含有量が、前記洗浄剤組成物の総質量に対し、０．０７〜０．５質量％であることを特徴とする洗浄剤組成物であることが好ましい。
【０１０４】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、ジヒドロミルセノール、酢酸イソボルニル、酢酸トリシクロデセニル及びプロピオン酸トリシクロデセニルからなる群から選択される少なくとも１種の香料成分；α−ヘキシルシンナミックアルデヒド、サリチル酸アミル、イソ・イー・スーパー及びハバノライドからなる群から選択される少なくとも１種の香料成分；並びにリリアール、テトラヒドロリナロール、ベルドックス及びベルテネックスからなる群から選択される少なくとも１種の香料成分からなる香料（Ａ）を含み、
前記香料（Ａ）の含有量が、前記洗浄剤組成物の総質量に対し、０．０７〜０．５質量％であることを特徴とする洗浄剤組成物であることが好ましい。
【０１０５】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、ジヒドロミルセノール、酢酸イソボルニル、α−ヘキシルシンナミックアルデヒド、リリアール、テトラヒドロリナロール、サリチル酸アミル、ベルドックス、ベルテネックス、酢酸トリシクロデセニル、プロピオン酸トリシクロデセニル、イソ・イー・スーパー及びハバノライドの組み合わせ；ジヒドロミルセノール、ベルドックス及びハバノライドの組み合わせ；酢酸イソボルニル、テトラヒドロリナロール及びイソ・イー・スーパーの組み合わせ；サリチル酸アミル、ベルテネックス及びプロピオン酸トリシクロデセニルの組み合わせ；α−ヘキシルシンナミックアルデヒド、リリアール及び酢酸トリシクロデセニルの組み合わせ；α−ヘキシルシンナミックアルデヒド、リリアール及びプロピオン酸トリシクロデセニルの組み合わせ；リリアール、サリチル酸アミル及びプロピオン酸トリシクロデセニルの組み合わせ；リリアール、プロピオン酸トリシクロデセニル及びイソ・イー・スーパーの組み合わせ；リリアール、プロピオン酸トリシクロデセニル及びハバノライドの組み合わせ；α−ヘキシルシンナミックアルデヒド、テトラヒドロリナロール及びプロピオン酸トリシクロデセニルの組み合わせ；テトラヒドロリナロール、サリチル酸アミル及びプロピオン酸トリシクロデセニルの組み合わせ；テトラヒドロリナロール、プロピオン酸トリシクロデセニル及びイソ・イー・スーパーの組み合わせ；テトラヒドロリナロール、プロピオン酸トリシクロデセニル及びハバノライドの組み合わせ；α−ヘキシルシンナミックアルデヒド、ベルドックス及びプロピオン酸トリシクロデセニルの組み合わせ；サリチル酸アミル、ベルドックス及びプロピオン酸トリシクロデセニルの組み合わせ；ベルドックス、プロピオン酸トリシクロデセニル及びイソ・イー・スーパーの組み合わせ；ベルドックス、プロピオン酸トリシクロデセニル及びハバノライドの組み合わせ；α−ヘキシルシンナミックアルデヒド、ベルドックス及びプロピオン酸トリシクロデセニルの組み合わせ；ベルドックス、プロピオン酸トリシクロデセニル及びイソ・イー・スーパーの組み合わせ；ベルドックス、プロピオン酸トリシクロデセニル及びハバノライドとの組み合わせ；α−ヘキシルシンナミックアルデヒド、ベルテネックス及びプロピオン酸トリシクロデセニルの組み合わせ；ベルテネックス、プロピオン酸トリシクロデセニル及びイソ・イー・スーパーの組み合わせ；ベルテネックス、プロピオン酸トリシクロデセニル及びハバノライドの組み合わせ；リリアール、サリチル酸アミル及び酢酸トリシクロデセニルとの組み合わせ；リリアール、酢酸トリシクロデセニル及びイソ・イー・スーパーの組み合わせ；リリアール、酢酸トリシクロデセニル及びハバノライドの組み合わせ；α−ヘキシルシンナミックアルデヒド、テトラヒドロリナロール及び酢酸トリシクロデセニルの組み合わせ；テトラヒドロリナロール、サリチル酸アミル及び酢酸トリシクロデセニルの組み合わせ；テトラヒドロリナロール、酢酸トリシクロデセニル及びイソ・イー・スーパーの組み合わせ；テトラヒドロリナロール、酢酸トリシクロデセニル及びハバノライドの組み合わせ；α−ヘキシルシンナミックアルデヒド、ベルドックス及び酢酸トリシクロデセニルの組み合わせ；サリチル酸アミル、ベルドックス及び酢酸トリシクロデセニルの組み合わせ；ベルドックス、酢酸トリシクロデセニル及びイソ・イー・スーパーの組み合わせ；ベルドックス、酢酸トリシクロデセニル及びハバノライドの組み合わせ；α−ヘキシルシンナミックアルデヒド、ベルテネックス及び酢酸トリシクロデセニルの組み合わせ；サリチル酸アミル、ベルテネックス及び酢酸トリシクロデセニルの組み合わせ；ベルテネックス、酢酸トリシクロデセニル及びイソ・イー・スーパーの組み合わせ；ベルテネックス、酢酸トリシクロデセニル及びハバノライドの組み合わせ；酢酸イソボルニル、α−ヘキシルシンナミックアルデヒド及びリリアールの組み合わせ；酢酸イソボルニル、リリアール及びサリチル酸アミルの組み合わせ；酢酸イソボルニル、リリアール及びイソ・イー・スーパーの組み合わせ；酢酸イソボルニル、リリアール及びハバノライドの組み合わせ；酢酸イソボルニル、α−ヘキシルシンナミックアルデヒド及びテトラヒドロリナロールの組み合わせ；酢酸イソボルニル、テトラヒドロリナロール及びサリチル酸アミルの組み合わせ；酢酸イソボルニル、テトラヒドロリナロール及びハバノライドの組み合わせ；酢酸イソボルニル、α−ヘキシルシンナミックアルデヒド及びベルドックスの組み合わせ；酢酸イソボルニル、サリチル酸アミル及びベルドックスの組み合わせ；酢酸イソボルニル、ベルドックス及びイソ・イー・スーパーの組み合わせ；酢酸イソボルニル、ベルドックス及びハバノライドの組み合わせ；酢酸イソボルニル、α−ヘキシルシンナミックアルデヒド及びベルテネックスの組み合わせ；酢酸イソボルニル、サリチル酸アミル及びベルテネックスの組み合わせ；酢酸イソボルニル、ベルテネックス及びイソ・イー・スーパーの組み合わせ；酢酸イソボルニル、ベルテネックス及びハバノライドの組み合わせ；ジヒドロミルセノール、α−ヘキシルシンナミックアルデヒド及びリリアールの組み合わせ；ジヒドロミルセノール、リリアール及びサリチル酸アミルの組み合わせ；ジヒドロミルセノール、リリアール及びイソ・イー・スーパーの組み合わせ；ジヒドロミルセノール、リリアール及びハバノライドの組み合わせ；ジヒドロミルセノール、α−ヘキシルシンナミックアルデヒド及びテトラヒドロリナロールの組み合わせ；ジヒドロミルセノール、テトラヒドロリナロール及びサリチル酸アミルの組み合わせ；ジヒドロミルセノール、テトラヒドロリナロール及びイソ・イー・スーパーの組み合わせ；ジヒドロミルセノール、テトラヒドロリナロール及びハバノライドの組み合わせ；ジヒドロミルセノール、α−ヘキシルシンナミックアルデヒド及びハバノライドの組み合わせ；ジヒドロミルセノール、α−ヘキシルシンナミックアルデヒド及びベルドックスの組み合わせ；ジヒドロミルセノール、サリチル酸アミル及びベルドックスの組み合わせ；ジヒドロミルセノール、ベルドックス及びイソ・イー・スーパーの組み合わせ；ジヒドロミルセノール、α−ヘキシルシンナミックアルデヒド及びベルテネックスの組み合わせ；ジヒドロミルセノール、サリチル酸アミル及びベルテネックスの組み合わせ；ジヒドロミルセノール、ベルテネックス及びイソ・イー・スーパ���の組み合わせ；並びにジヒドロミルセノール、ベルテネックス及びハバノライドの組み合わせからなる群から選択される少なくとも１種の組み合わせからなる香料（Ａ）を含み、
前記香料（Ａ）の含有量が、前記洗浄剤組成物の総質量に対し、０．０７〜０．５質量％であることを特徴とする洗浄剤組成物であることが好ましい。
【０１０６】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、ジヒドロミルセノール、酢酸イソボルニル、酢酸トリシクロデセニル及びプロピオン酸トリシクロデセニルからなる群から選択される少なくとも１種の香料成分；α−ヘキシルシンナミックアルデヒド、サリチル酸アミル、イソ・イー・スーパー及びハバノライドからなる群から選択される少なくとも１種の香料成分；並びにリリアール、テトラヒドロリナロール、ベルドックス及びベルテネックスからなる群から選択される少なくとも１種の香料成分からなる香料（Ａ）を含み、
ジヒドロミルセノール、酢酸イソボルニル、酢酸トリシクロデセニル及びプロピオン酸トリシクロデセニルからなる群から選択される少なくとも１種の香料成分；α−ヘキシルシンナミックアルデヒド、サリチル酸アミル、イソ・イー・スーパー及びハバノライドからなる群から選択される少なくとも１種の香料成分；並びにリリアール、テトラヒドロリナロール、ベルドックス及びベルテネックスからなる群から選択される少なくとも１種の香料成分の質量比が１：１：１であり、
前記香料（Ａ）の含有量が、前記洗浄剤組成物の総質量に対し、０．０７〜０．５質量％であることを特徴とする洗浄剤組成物であることが好ましい。
【０１０７】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、ジヒドロミルセノール、酢酸イソボルニル、酢酸トリシクロデセニル及びプロピオン酸トリシクロデセニルからなる群から選択される少なくとも１種の香料成分；α−ヘキシルシンナミックアルデヒド、サリチル酸アミル、イソ・イー・スーパー及びハバノライドからなる群から選択される少なくとも１種の香料成分；並びにリリアール、テトラヒドロリナロール、ベルドックス及びベルテネックスからなる群から選択される少なくとも１種の香料成分からなる香料（Ａ）と、
シクロヘキシルプロピオン酸アリル、１，８−シネオール、ショウノウ、ジフェニルオキサイド、β−ナフトールメチルエーテル、シトロネリルニトリル、メントン、シトロネラール、トリプラール、ドデカンニトリル、３，７−ジメチル−２，６−ノナジエニトリル、２−メチル酪酸エチル、２−メチル吉草酸エチル、及びパチュリオイルからなる群から選ばれる少なくとも１種の香料成分からなる香料（Ｂ）とを含み、
前記香料（Ａ）の含有量が、前記洗浄剤組成物の総質量に対し、０．０７〜０．５質量％であることを特徴とする洗浄剤組成物であることが好ましい。
【０１０８】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、ジヒドロミルセノール、酢酸イソボルニル、酢酸トリシクロデセニル及びプロピオン酸トリシクロデセニルからなる群から選択される少なくとも１種の香料成分；α−ヘキシルシンナミックアルデヒド、サリチル酸アミル、イソ・イー・スーパー及びハバノライドからなる群から選択される少なくとも１種の香料成分；並びにリリアール、テトラヒドロリナロール、ベルドックス及びベルテネックスからなる群から選択される少なくとも１種の香料成分からなる香料（Ａ）と、
シクロヘキシルプロピオン酸アリル、１，８−シネオール、ショウノウ、ジフェニルオキサイド、β−ナフトールメチルエーテル、シトロネリルニトリル、メントン、シトロネラール、トリプラール、ドデカンニトリル、３，７−ジメチル−２，６−ノナジエニトリル、２−メチル酪酸エチル、２−メチル吉草酸エチル、及びパチュリオイルからなる群から選ばれる少なくとも１種の香料成分からなる香料（Ｂ）とを含み、
ジヒドロミルセノール、酢酸イソボルニル、酢酸トリシクロデセニル及びプロピオン酸トリシクロデセニルからなる群から選択される少なくとも１種の香料成分；α−ヘキシルシンナミックアルデヒド、サリチル酸アミル、イソ・イー・スーパー及びハバノライドからなる群から選択される少なくとも１種の香料成分；並びにリリアール、テトラヒドロリナロール、ベルドックス及びベルテネックスからなる群から選択される少なくとも１種の香料成分の質量比が１：１：１であり、
前記香料（Ａ）の含有量が、前記洗浄剤組成物の総質量に対し、０．０７〜０．５質量％であることを特徴とする洗浄剤組成物であることが好ましい。
【０１０９】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、ジヒドロミルセノール、酢酸イソボルニル、酢酸トリシクロデセニル及びプロピオン酸トリシクロデセニルからなる群から選択される少なくとも１種の香料成分；α−ヘキシルシンナミックアルデヒド、サリチル酸アミル、イソ・イー・スーパー及びハバノライドからなる群から選択される少なくとも１種の香料成分；並びにリリアール、テトラヒドロリナロール、ベルドックス及びベルテネックスからなる群から選択される少なくとも１種の香料成分からなる香料（Ａ）と、
シクロヘキシルプロピオン酸アリル、１，８−シネオール、ショウノウ、ジフェニルオキサイド、β−ナフトールメチルエーテル、シトロネリルニトリル、メントン、シトロネラール、トリプラール、ドデカンニトリル、３，７−ジメチル−２，６−ノナジエニトリル、２−メチル酪酸エチル、２−メチル吉草酸エチル、及びパチュリオイルからなる群から選ばれる少なくとも１種の香料成分からなる香料（Ｂ）とを含み、
前記香料（Ｂ）に対する前記香料（Ａ）の質量比が、（香料（Ａ）の質量）／（香料（Ｂ）の質量）で表して１以上１０以下であり、
前記香料（Ａ）の含有量が、前記洗浄剤組成物の総質量に対し、０．０７〜０．５質量％であることを特徴とする洗浄剤組成物であることが好ましい。
【０１１０】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、ジヒドロミルセノール、酢酸イソボルニル、酢酸トリシクロデセニル及びプロピオン酸トリシクロデセニルからなる群から選択される少なくとも１種の香料成分；α−ヘキシルシンナミックアルデヒド、サリチル酸アミル、イソ・イー・スーパー及びハバノライドからなる群から選択される少なくとも１種の香料成分；並びにリリアール、テトラヒドロリナロール、ベルドックス及びベルテネックスからなる群から選択される少なくとも１種の香料成分からなる香料（Ａ）と、
シクロヘキシルプロピオン酸アリル、１，８−シネオール、ショウノウ、ジフェニルオキサイド、β−ナフトールメチルエーテル、シトロネリルニトリル、メントン、シトロネラール、トリプラール、ドデカンニトリル、３，７−ジメチル−２，６−ノナジエニトリル、２−メチル酪酸エチル、２−メチル吉草酸エチル、及びパチュリオイルを含む香料（Ｂ）とを含み、
ジヒドロミルセノール、酢酸イソボルニル、酢酸トリシクロデセニル及びプロピオン酸トリシクロデセニルからなる群から選択される少なくとも１種の香料成分；α−ヘキシルシンナミックアルデヒド、サリチル酸アミル、イソ・イー・スーパー及びハバノライドからなる群から選択される少なくとも１種の香料成分；並びにリリアール、テトラヒドロリナロール、ベルドックス及びベルテネックスからなる群から選択される少なくとも１種の香料成分の質量比が１：１：１であり、
前記香料（Ｂ）に対する前記香料（Ａ）の質量比が、（香料（Ａ）の質量）／（香料（Ｂ）の質量）で表して１以上１０以下であり、
前記香料（Ａ）の含有量が、前記洗浄剤組成物の総質量に対し、０．０７〜０．５質量％であることを特徴とする洗浄剤組成物であることが好ましい。
【０１１１】
本発明の洗浄剤組成物は、α−スルホ脂肪酸アルキルエステル塩と、香料組成物とを含有し、
前記α−スルホ脂肪酸アルキルエステル塩の含有量が、前記洗浄剤組成物の総質量に対し、１〜３０質量％であり、
前記香料組成物が、ジヒドロミルセノール、酢酸イソボルニル、α−ヘキシルシンナミックアルデヒド、リリアール、テトラヒドロリナロール、サリチル酸アミル、ベルドックス、ベルテネックス、酢酸トリシクロデセニル、プロピオン酸トリシクロデセニル、イソ・イー・スーパー及びハバノライドの組み合わせ；ジヒドロミルセノール、ベルドックス及びハバノライドの組み合わせ；酢酸イソボルニル、テトラヒドロリナロール及びイソ・イー・スーパーの組み合わせ；サリチル酸アミル、ベルテネックス及びプロピオン酸トリシクロデセニルの組み合わせ；α−ヘキシルシンナミックアルデヒド、リリアール及び酢酸トリシクロデセニルの組み合わせ；α−ヘキシルシンナミックアルデヒド、リリアール及びプロピオン酸トリシクロデセニルの組み合わせ；リリアール、サリチル酸アミル及びプロピオン酸トリシクロデセニルの組み合わせ；リリアール、プロピオン酸トリシクロデセニル及びイソ・イー・スーパーの組み合わせ；リリアール、プロピオン酸トリシクロデセニル及びハバノライドの組み合わせ；α−ヘキシルシンナミックアルデヒド、テトラヒドロリナロール及びプロピオン酸トリシクロデセニルの組み合わせ；テトラヒドロリナロール、サリチル酸アミル及びプロピオン酸トリシクロデセニルの組み合わせ；テトラヒドロリナロール、プロピオン酸トリシクロデセニル及びイソ・イー・スーパーの組み合わせ；テトラヒドロリナロール、プロピオン酸トリシクロデセニル及びハバノライドの組み合わせ；α−ヘキシルシンナミックアルデヒド、ベルドックス及びプロピオン酸トリシクロデセニルの組み合わせ；サリチル酸アミル、ベルドックス及びプロピオン酸トリシクロデセニルの組み合わせ；ベルドックス、プロピオン酸トリシクロデセニル及びイソ・イー・スーパーの組み合わせ；ベルドックス、プロピオン酸トリシクロデセニル及びハバノライドの組み合わせ；α−ヘキシルシンナミックアルデヒド、ベルドックス及びプロピオン酸トリシクロデセニルの組み合わせ；ベルドックス、プロピオン酸トリシクロデセニル及びイソ・イー・スーパーの組み合わせ；ベルドックス、プロピオン酸トリシクロデセニル及びハバノライドとの組み合わせ；α−ヘキシルシンナミックアルデヒド、ベルテネックス及びプロピオン酸トリシクロデセニルの組み合わせ；ベルテネックス、プロピオン酸トリシクロデセニル及びイソ・イー・スーパーの組み合わせ；ベルテネックス、プロピオン酸トリシクロデセニル及びハバノライドの組み合わせ；リリアール、サリチル酸アミル及び酢酸トリシクロデセニルとの組み合わせ；リリアール、酢酸トリシクロデセニル及びイソ・イー・スーパーの組み合わせ；リリアール、酢酸トリシクロデセニル及びハバノライドの組み合わせ；α−ヘキシルシンナミックアルデヒド、テトラヒドロリナロール及び酢酸トリシクロデセニルの組み合わせ；テトラヒドロリナロール、サリチル酸アミル及び酢酸トリシクロデセニルの組み合わせ；テトラヒドロリナロール、酢酸トリシクロデセニル及びイソ・イー・スーパーの組み合わせ；テトラヒドロリナロール、酢酸トリシクロデセニル及びハバノライドの組み合わせ；α−ヘキシルシンナミックアルデヒド、ベルドックス及び酢酸トリシクロデセニルの組み合わせ；サリチル酸アミル、ベルドックス及び酢酸トリシクロデセニルの組み合わせ；ベルドックス、酢酸トリシクロデセニル及びイソ・イー・スーパーの組み合わせ；ベルドックス、酢酸トリシクロデセニル及びハバノライドの組み合わせ；α−ヘキシルシンナミックアルデヒド、ベルテネックス及び酢酸トリシクロデセニルの組み合わせ；サリチル酸アミル、ベルテネックス及び酢酸トリシクロデセニルの組み合わせ；ベルテネックス、酢酸トリシクロデセニル及びイソ・イー・スーパーの組み合わせ；ベルテネックス、酢酸トリシクロデセニル及びハバノライドの組み合わせ；酢酸イソボルニル、α−ヘキシルシンナミックアルデヒド及びリリアールの組み合わせ；酢酸イソボルニル、リリアール及びサリチル酸アミルの組み合わせ；酢酸イソボルニル、リリアール及びイソ・イー・スーパーの組み合わせ；酢酸イソボルニル、リリアール及びハバノライドの組み合わせ；酢酸イソボルニル、α−ヘキシルシンナミックアルデヒド及びテトラヒドロリナロールの組み合わせ；酢酸イソボルニル、テトラヒドロリナロール及びサリチル酸アミルの組み合わせ；酢酸イソボルニル、テトラヒドロリナロール及びハバノライドの組み合わせ；酢酸イソボルニル、α−ヘキシルシンナミックアルデヒド及びベルドックスの組み合わせ；酢酸イソボルニル、サリチル酸アミル及びベルドックスの組み合わせ；酢酸イソボルニル、ベルドックス及びイソ・イー・スーパーの組み合わせ；酢酸イソボルニル、ベルドックス及びハバノライドの組み合わせ；酢酸イソボルニル、α−ヘキシルシンナミックアルデヒド及びベルテネックスの組み合わせ；酢酸イソボルニル、サリチル酸アミル及びベルテネックスの組み合わせ；酢酸イソボルニル、ベルテネックス及びイソ・イー・スーパーの組み合わせ；酢酸イソボルニル、ベルテネックス及びハバノライドの組み合わせ；ジヒドロミルセノール、α−ヘキシルシンナミックアルデヒド及びリリアールの組み合わせ；ジヒドロミルセノール、リリアール及びサリチル酸アミルの組み合わせ；ジヒドロミルセノール、リリアール及びイソ・イー・スーパーの組み合わせ；ジヒドロミルセノール、リリアール及びハバノライドの組み合わせ；ジヒドロミルセノール、α−ヘキシルシンナミックアルデヒド及びテトラヒドロリナロールの組み合わせ；ジヒドロミルセノール、テトラヒドロリナロール及びサリチル酸アミルの組み合わせ；ジヒドロミルセノール、テトラヒドロリナロール及びイソ・イー・スーパーの組み合わせ；ジヒドロミルセノール、テトラヒドロリナロール及びハバノライドの組み合わせ；ジヒドロミルセノール、α−ヘキシルシンナミックアルデヒド及びハバノライドの組み合わせ；ジヒドロミルセノール、α−ヘキシルシンナミックアルデヒド及びベルドックスの組み合わせ；ジヒドロミルセノール、サリチル酸アミル及びベルドックスの組み合わせ；ジヒドロミルセノール、ベルドックス及びイソ・イー・スーパーの組み合わせ；ジヒドロミルセノール、α−ヘキシルシンナミックアルデヒド及びベルテネックスの組み合わせ；ジヒドロミルセノール、サリチル酸アミル及びベルテネックスの組み合わせ；ジヒドロミルセノール、ベルテネックス及びイソ・イー・スーパ���の組み合わせ；並びにジヒドロミルセノール、ベルテネックス及びハバノライドの組み合わせからなる群から選択される少なくとも１種の組み合わせからなる香料（Ａ）と、
シクロヘキシルプロピオン酸アリル、１，８−シネオール、ショウノウ、ジフェニルオキサイド、β−ナフトールメチルエーテル、シトロネリルニトリル、メントン、シトロネラール、トリプラール、ドデカンニトリル、３，７−ジメチル−２，６−ノナジエニトリル、２−メチル酪酸エチル、２−メチル吉草酸エチル及びパチュリオイルからなる香料（Ｂ）とを含み、
前記香料（Ｂ）に対する前記香料（Ａ）の質量比が、（香料（Ａ）の質量）／（香料（Ｂ）の質量）で表して１以上１０以下であり、
前記香料（Ａ）の含有量が、前記洗浄剤組成物の総質量に対し、０．０７〜０．５質量％であることを特徴とする洗浄剤組成物であることが好ましい。
【０１１２】
本発明の洗浄剤組成物は、α−スルホ脂肪酸アルキルエステル塩と、香料組成物と、水と、界面活性剤と、洗浄性ビルダーと、を含有し、
前記α−スルホ脂肪酸アルキルエステル塩の含有量が、前記洗浄剤組成物の総質量に対し、１〜３０質量％であり、
前記香料組成物が、ジヒドロミルセノール、酢酸イソボルニル、α−ヘキシルシンナミックアルデヒド、リリアール、テトラヒドロリナロール、サリチル酸アミル、ベルドックス、ベルテネックス、酢酸トリシクロデセニル、プロピオン酸トリシクロデセニル、イソ・イー・スーパー及びハバノライドの組み合わせ；ジヒドロミルセノール、ベルドックス及びハバノライドの組み合わせ；酢酸イソボルニル、テトラヒドロリナロール及びイソ・イー・スーパーの組み合わせ；サリチル酸アミル、ベルテネックス及びプロピオン酸トリシクロデセニルの組み合わせ；α−ヘキシルシンナミックアルデヒド、リリアール及び酢酸トリシクロデセニルの組み合わせ；α−ヘキシルシンナミックアルデヒド、リリアール及びプロピオン酸トリシクロデセニルの組み合わせ；リリアール、サリチル酸アミル及びプロピオン酸トリシクロデセニルの組み合わせ；リリアール、プロピオン酸トリシクロデセニル及びイソ・イー・スーパーの組み合わせ；リリアール、プロピオン酸トリシクロデセニル及びハバノライドの組み合わせ；α−ヘキシルシンナミックアルデヒド、テトラヒドロリナロール及びプロピオン酸トリシクロデセニルの組み合わせ；テトラヒドロリナロール、サリチル酸アミル及びプロピオン酸トリシクロデセニルの組み合わせ；テトラヒドロリナロール、プロピオン酸トリシクロデセニル及びイソ・イー・スーパーの組み合わせ；テトラヒドロリナロール、プロピオン酸トリシクロデセニル及びハバノライドの組み合わせ；α−ヘキシルシンナミックアルデヒド、ベルドックス及びプロピオン酸トリシクロデセニルの組み合わせ；サリチル酸アミル、ベルドックス及びプロピオン酸トリシクロデセニルの組み合わせ；ベルドックス、プロピオン酸トリシクロデセニル及びイソ・イー・スーパーの組み合わせ；ベルドックス、プロピオン酸トリシクロデセニル及びハバノライドの組み合わせ；α−ヘキシルシンナミックアルデヒド、ベルドックス及びプロピオン酸トリシクロデセニルの組み合わせ；ベルドックス、プロピオン酸トリシクロデセニル及びイソ・イー・スーパーの組み合わせ；ベルドックス、プロピオン酸トリシクロデセニル及びハバノライドとの組み合わせ；α−ヘキシルシンナミックアルデヒド、ベルテネックス及びプロピオン酸トリシクロデセニルの組み合わせ；ベルテネックス、プロピオン酸トリシクロデセニル及びイソ・イー・スーパーの組み合わせ；ベルテネックス、プロピオン酸トリシクロデセニル及びハバノライドの組み合わせ；リリアール、サリチル酸アミル及び酢酸トリシクロデセニルとの組み合わせ；リリアール、酢酸トリシクロデセニル及びイソ・イー・スーパーの組み合わせ；リリアール、酢酸トリシクロデセニル及びハバノライドの組み合わせ；α−ヘキシルシンナミックアルデヒド、テトラヒドロリナロール及び酢酸トリシクロデセニルの組み合わせ；テトラヒドロリナロール、サリチル酸アミル及び酢酸トリシクロデセニルの組み合わせ；テトラヒドロリナロール、酢酸トリシクロデセニル及びイソ・イー・スーパーの組み合わせ；テトラヒドロリナロール、酢酸トリシクロデセニル及びハバノライドの組み合わせ；α−ヘキシルシンナミックアルデヒド、ベルドックス及び酢酸トリシクロデセニルの組み合わせ；サリチル酸アミル、ベルドックス及び酢酸トリシクロデセニルの組み合わせ；ベルドックス、酢酸トリシクロデセニル及びイソ・イー・スーパーの組み合わせ；ベルドックス、酢酸トリシクロデセニル及びハバノライドの組み合わせ；α−ヘキシルシンナミックアルデヒド、ベルテネックス及び酢酸トリシクロデセニルの組み合わせ；サリチル酸アミル、ベルテネックス及び酢酸トリシクロデセニルの組み合わせ；ベルテネックス、酢酸トリシクロデセニル及びイソ・イー・スーパーの組み合わせ；ベルテネックス、酢酸トリシクロデセニル及びハバノライドの組み合わせ；酢酸イソボルニル、α−ヘキシルシンナミックアルデヒド及びリリアールの組み合わせ；酢酸イソボルニル、リリアール及びサリチル酸アミルの組み合わせ；酢酸イソボルニル、リリアール及びイソ・イー・スーパーの組み合わせ；酢酸イソボルニル、リリアール及びハバノライドの組み合わせ；酢酸イソボルニル、α−ヘキシルシンナミックアルデヒド及びテトラヒドロリナロールの組み合わせ；酢酸イソボルニル、テトラヒドロリナロール及びサリチル酸アミルの組み合わせ；酢酸イソボルニル、テトラヒドロリナロール及びハバノライドの組み合わせ；酢酸イソボルニル、α−ヘキシルシンナミックアルデヒド及びベルドックスの組み合わせ；酢酸イソボルニル、サリチル酸アミル及びベルドックスの組み合わせ；酢酸イソボルニル、ベルドックス及びイソ・イー・スーパーの組み合わせ；酢酸イソボルニル、ベルドックス及びハバノライドの組み合わせ；酢酸イソボルニル、α−ヘキシルシンナミックアルデヒド及びベルテネックスの組み合わせ；酢酸イソボルニル、サリチル酸アミル及びベルテネックスの組み合わせ；酢酸イソボルニル、ベルテネックス及びイソ・イー・スーパーの組み合わせ；酢酸イソボルニル、ベルテネックス及びハバノライドの組み合わせ；ジヒドロミルセノール、α−ヘキシルシンナミックアルデヒド及びリリアールの組み合わせ；ジヒドロミルセノール、リリアール及びサリチル酸アミルの組み合わせ；ジヒドロミルセノール、リリアール及びイソ・イー・スーパーの組み合わせ；ジヒドロミルセノール、リリアール及びハバノライドの組み合わせ；ジヒドロミルセノール、α−ヘキシルシンナミックアルデヒド及びテトラヒドロリナロールの組み合わせ；ジヒドロミルセノール、テトラヒドロリナロール及びサリチル酸アミルの組み合わせ；ジヒドロミルセノール、テトラヒドロリナロール及びイソ・イー・スーパーの組み合わせ；ジヒドロミルセノール、テトラヒドロリナロール及びハバノライドの組み合わせ；ジヒドロミルセノール、α−ヘキシルシンナミックアルデヒド及びハバノライドの組み合わせ；ジヒドロミルセノール、α−ヘキシルシンナミックアルデヒド及びベルドックスの組み合わせ；ジヒドロミルセノール、サリチル酸アミル及びベルドックスの組み合わせ；ジヒドロミルセノール、ベルドックス及びイソ・イー・スーパーの組み合わせ；ジヒドロミルセノール、α−ヘキシルシンナミックアルデヒド及びベルテネックスの組み合わせ；ジヒドロミルセノール、サリチル酸アミル及びベルテネックスの組み合わせ；ジヒドロミルセノール、ベルテネックス及びイソ・イー・スーパ���の組み合わせ；並びにジヒドロミルセノール、ベルテネックス及びハバノライドの組み合わせからなる群から選択される少なくとも１種の組み合わせからなる香料（Ａ）と、
シクロヘキシルプロピオン酸アリル、１，８−シネオール、ショウノウ、ジフェニルオキサイド、β−ナフトールメチルエーテル、シトロネリルニトリル、メントン、シトロネラール、トリプラール、ドデカンニトリル、３，７−ジメチル−２，６−ノナジエニトリル、２−メチル酪酸エチル、２−メチル吉草酸エチル及びパチュリオイルからなる香料（Ｂ）と、を含み、
前記香料（Ｂ）に対する前記香料（Ａ）の質量比が、（香料（Ａ）の質量）／（香料（Ｂ）の質量）で表して１以上１０以下であり、
前記香料（Ａ）の含有量が、前記洗浄剤組成物の総質量に対し、０．０７〜０．５質量％であることを特徴とする洗浄剤組成物であり、
水の含有量が、前記洗浄剤組成物の総質量に対し、２〜１０質量％であることが好ましい。
【実施例】
【０１１３】
本発明について、実施例を示してさらに具体的に説明する。ただし本発明はこれらに限定されるものではない。
以下において、「％」は特に記載のない限り「質量％」を示す。
以下の各例で使用した原料を以下に示す。【０１１４】
＜使用原料＞
ＭＥＳ粒子：α−スルホ脂肪酸メチルエステルナトリウム（ＭＥＳ−Ｎａ）の粉体（ＭＥＳ−Ｎａ純分として７５％、ゼオライト１５％、その他不純物１０％。ＭＥＳ−Ｎａの脂肪酸鎖長炭素数：Ｃ１６／Ｃ１８＝８５／１５（質量比））、ライオンエコケミカルズ社製、商品名「ＭＩＺＵＬＡＮ  Ｐ８２」。
ＬＡＳ−Ｎａ：直鎖アルキルベンゼンスルホン酸ナトリウム（直鎖アルキル基の炭素数：１１〜１４）、ライオン社製。
ＳＴＰＰ：トリポリリン酸ナトリウム、三井化学社製。
Ｚｅｏｌｉｔｅ：Ａ型ゼオライト、水澤化学社製。
Ｐｏｌｙｍｅｒ（ＴＬ５００）：アクリル酸マレイン酸共重合体、日本触媒社製、商品名「アクアリックＴＬ５００」。
Ｓｉｌｉｃａｔｅ：珪酸ナトリウム、日本化学工業社製。
Ｓｏｄａ  Ａｓｈ：炭酸ナトリウム、東ソー社製。
Ｔ−ＣＢＳ：ビフェニル型蛍光剤、ＢＡＳＦ社製、商品名「チノパールＣＢＳ」。
Ｔ−ＤＭＡＸ（Ｃｏｎｃ）：スチルベン型蛍光剤、ＢＡＳＦ社製、商品名「チノパールＤＭＡＸ」。
ＣａＣＯ３：炭酸カルシウム、旭鉱床社製。
Ｎａ２ＳＯ４：硫酸ナトリウム、日本化学工業社製。
酵素顆粒：プロテアーゼ、ノボザイムズ社製、商品名「Ｄｅｏｚｙｍｅ」。【０１１５】
＜実施例１〜４、比較例１〜２＞［ベース洗剤の調製］
表１に記載した洗剤原料を混合し、固形分６０％、温度約７０℃の洗剤スラリーを調製した。各洗剤原料の添加順序は特に限定しなかった。すべての洗剤原料を添加した後、７０℃で約２時間スラリー混合し、向流式噴霧乾燥塔を用いて熱風温度２６０℃で水分約５．５質量％となるように乾燥して噴霧乾燥粒子を得た。表１中の「Ｂａｌ」は、全量が１００％となるように加えられた量（バランス量）を示す。
得られた噴霧乾燥粒子１００質量部と、ＭＥＳ粒子１０質量部と、酵素顆粒０．５質量部とを粉体混合し、ベース洗剤（ベース粒子群）を得た。【０１１６】
【表１】
2014200050.tif 000002
【０１１７】
［香料の調製］
香料（Ａ）として香料（Ａ−１）〜（Ａ−６）を、表２に示す質量割合（単位：質量部）で香料成分を混合することにより調製した。
香料（Ｂ）として香料（Ｂ−１）〜（Ｂ−６）を、表３及び表４に示す質量割合（単位：質量部）で香料成分を混合することにより調製した。なお、表３と表４とは連続した１つの表を２つに分割したものであり、香料（Ｂ−１）〜（Ｂ−６）の調製に用いた香料成分は、表３及び表４にそれぞれ示す香料成分の合計である。【０１１８】
【表２】
2014200050.tif 000003
【０１１９】
【表３】
2014200050.tif 000004
【０１２０】
【表４】
2014200050.tif 000005
【０１２１】
［粒状洗浄剤組成物の調製］
比較例１においては、前記のベース洗剤をそのまま粒状洗浄剤組成物とした。
実施例１〜４、比較例２においては、以下の手順で粒状洗浄剤組成物を調製した。
表５に示す配合組成となるように、香料（Ａ）と、香料（Ｂ）と、エタノールとを混合して香料組成物を調製した。香料（Ａ）としては香料（Ａ−１）、香料（Ｂ）としては香料（Ｂ−１）を用いた。
得られた香料組成物を、前記のベース洗剤に噴霧して粒状洗浄剤組成物を得た。
表５に、各例における噴霧乾燥粒子、ＭＥＳ粒子、酵素顆粒、香料（Ａ）、香料（Ｂ）及びエタノール（溶剤）の配合組成（％）を示す。
得られた粒状洗剤組成物について、以下の評価を行った。結果を表５に示す。【０１２２】
［製品香気の評価］
調製した粒状洗浄剤組成物４０ｇを１２０ｍＬ容量のガラス瓶に充填して評価試料とした。評価試料の香気について、専門パネラーによる官能評価を実施した。
官能評価においては、まず、作製直後の評価試料の「洗剤としての清潔感」を専門パネラーによって下記の５段階で評価し、４点以上のものを合格とした。
５点：洗剤としての清潔感を感じる。
４点：洗剤としての清潔感をやや感じる。
３点：洗剤としての清潔感をわずかに感じる。
２点：洗剤としての清潔感をあまり感じられない。
１点：洗剤としての清潔感を全く感じない。【０１２３】
また、作製した評価試料を５０℃恒温槽に２週間保存し、保存後の臭気を保存前のものと比較し、「不快臭の無さを」を専門パネラーによって下記の５段階で評価し、４点以上のものを合格とした。
５点：不快臭を全く感じない。
４点：不快臭ほとんど感じない。
３点：不快臭をわずかに感じる。
２点：不快臭をかなり感じる。
１点：不快臭を非常に感じる。【０１２４】
【表５】
2014200050.tif 000006
【０１２５】
上記結果に示すとおり、ベース洗剤（未賦香品）をそのまま用いた比較例１の粒状洗浄剤組成物に対し、香料（Ａ）及び（Ｂ）を含む香料組成物でベース洗剤を賦香した実施例１〜４の粒状洗浄剤組成物は、洗剤としての清潔感を充分に感じさせる製品香気を有しており、保存後の臭気の変化もほとんど見られなかった。
一方、香料（Ａ）の含有量が０．０５質量％の比較例２の粒状洗浄剤組成物の製品香気は、「洗剤としての清潔感」を付与する香料（Ｂ）の含有量が同じであるにもかかわらず、実施例１〜４に比べ、洗剤としての清潔感に劣るものであった。また、保存後の臭気の変化も、実施例１〜４に比べて大きかった。
これらの結果から、ＭＥＳに由来の臭気による製品香気の悪化や香料（Ｂ）の香り立ちの阻害が、香料（Ａ）を一定量以上配合することによって抑制されることが確認された。【０１２６】
＜実施例５〜２３、比較例３〜５＞
表６〜１０に示す配合組成となるように、香料（Ａ）と、香料（Ｂ）と、エタノールとを混合して香料組成物を調製した。香料（Ａ）としては、表６〜１０にそれぞれ示すものを用い、香料（Ｂ）としては香料（Ｂ−１）〜（Ｂ−３）を用いた。なお、表６〜９において、香料（Ｂ）成分としては香料（Ｂ−１）を用いた。
得られた香料組成物を、前記のベース洗剤に噴霧して粒状洗浄剤組成物を得た。
表６〜１０に、各例における噴霧乾燥粒子、ＭＥＳ粒子、酵素顆粒、香料（Ａ）、香料（Ｂ）及びエタノール（溶剤）の配合組成（％）を示す。
得られた粒状洗剤組成物について、前記と同様の手順で製品香気の評価を行った。結果を表６〜１０に併記する。【０１２７】
【表６】
2014200050.tif 000007
【０１２８】
【表７】
2014200050.tif 000008
【０１２９】
【表８】
2014200050.tif 000009
【０１３０】
【表９】
2014200050.tif 000010
【０１３１】
【表１０】
2014200050.tif 000011
【０１３２】
上記結果に示すとおり、香料（Ａ）及び（Ｂ）を含む香料組成物でベース洗剤を賦香した実施例５〜２３の粒状洗浄剤組成物は、前述の実施例１〜４と同様、洗剤としての清潔感を充分に感じさせる製品香気を有しており、保存後の臭気の変化もほとんど見られなかった。
一方、香料（Ａ）の含有量が０．０２質量％の比較例３の粒状洗浄剤組成物の製品香気は、「洗剤としての清潔感」を付与する香料（Ｂ）の含有量が同じであるにもかかわらず、実施例５〜８に比べ、洗剤としての清潔感に劣るものであった。また、保存後の臭気の変化も、実施例５〜８に比べて大きかった。
同様に、香料（Ａ）の含有量が０．０１質量％の比較例４の粒状洗浄剤組成物の製品香気は、香料（Ｂ）の含有量が同じであるにもかかわらず、実施例９〜１２に比べ、洗剤としての清潔感に劣り、また、保存後の臭気の変化も大きかった。
また、香料（Ａ）の含有量が０．０４質量％の比較例５の粒状洗浄剤組成物の製品香気は、香料（Ｂ）の含有量が同じであるにもかかわらず、実施例１３〜１６に比べ、洗剤としての清潔感に劣り、また、保存後の臭気の変化も大きかった。【０１３３】
＜試験例１＞
実施例１〜４、比較例１〜２で得た粒状洗浄剤組成物について、前記粒状洗浄剤組成物を容器に収容した際に前記容器のヘッドスペース部分に存在する成分を、以下の手順で分析した。
粒状洗浄剤組成物３ｇを精秤して、２０ｍＬ容量のバイアル瓶に入れて密栓し、４０℃の恒温槽内で３０分間静置した後、ヘッドスペース部分に含まれる成分を、４０℃の条件下で、スペルコ社製の固相マイクロ抽出ファイバー（ＳＰＭＥファイバー；膜厚：６５μｍ、ＰＤＭＳ／ＤＶＢ（ジビニルベンゼン分散ポリジメチルシロキサン））で１時間抽出した。
抽出後のＳＰＭＥファイバーを、アジレント・テクノロジー社製のＧＣ−ＭＳ（Ａｇｉｌｅｎｔ７８９０／５９７５Ｃ）を用いて、カラム：ＨＰ−ＩＮＮＯＷＡＸ（長さ：３０ｍ、内径：０．２５ｍｍ、膜厚：０．２５μｍ）、測定温度：３５℃で３分間保持した後、２０５℃まで４℃／分で昇温し、さらに２５０℃まで１０℃／分で昇温、キャリアガス：ヘリウム、注入口温度：２５０℃、インターフェイス温度：２５０℃、注入方法：パルスドスプリットレスの条件にて分析した。
上記の分析の結果から、炭素数４〜８のアルキル基を有するアルキルメチルケトン（ＣＨ３−Ｃ（＝Ｏ）−Ｒ［Ｒは炭素数４〜８］）それぞれの抽出量を測定し、その値から、各アルキルメチルケトンのヘッドスペース部分からの抽出量（ｎｇ）を求めた。
また、その結果から、炭素数４〜８のアルキル基を有するアルキルメチルケトンの合計の抽出量（Ｃ４−８合計）を算出した。また、比較例１におけるアルキルメチルケトン抽出量をそれぞれ１としたときの、比較例２、実施例１〜４におけるアルキルメチルケトン抽出量の比率（対未賦香品比率）を算出した。結果を表１１に示す。【０１３４】
【表１１】
2014200050.tif 000012
【０１３５】
上記の結果から、香料（Ａ）の添加により、ヘッドスペースから抽出される、炭素数４〜８のアルキル基を有するアルキルメチルケトンの量が低下すること、その低下率は、アルキル基の炭素数が小さいほど顕著であることが確認された。
また、上記の結果と表５に示した結果から、香料（Ａ）の添加量が多いほど、製品香気の評価結果が向上し、測定されるアルキルメチルケトン量が減少する傾向があることがわかった。このことから、前記アルキルメチルケトン量は、ＭＥＳ由来の臭気を抑制する効果を評価する指標として有用であると考えられる。【０１３６】
＜製造例１〜６０＞
香料（Ａ）として香料１〜６０を、表１２〜１４にそれぞれ示す質量割合（単位：質量部）で香料成分を混合することにより調製した。
香料（Ａ−１）の代わりに香料１〜６０のいずれか１つを用いた以外は実施例３と同様にして粒状洗浄剤組成物を調製した。得られた粒状洗浄剤組成物は、実施例３の粒状洗浄剤組成物と同様、洗剤としての清潔感を充分に感じさせる製品香気を有しており、保存後の臭気の変化もほとんど見られなかった。【０１３７】
【表１２】
2014200050.tif 000013
【０１３８】
【表１３】
2014200050.tif 000014
【０１３９】
【表１４】
2014200050.tif 000015
【産業上の利用可能性】
【０１４０】
本発明によれば、α−スルホ脂肪酸アルキルエステル塩由来の臭気の影響が抑制され、香気の良好な洗浄剤組成物を提供できる。
【国際調査報告】
2014200050.tif 000016
2014200050.tif 000017
2014200050.tif 000018
2014200050.tif 000019